(57)【要約】【課題】標高の異なる場所に設置されても適正な燃焼状態を得られるように給気量を自動調整することができる燃焼装置を提供する。【解決手段】標準標高地においてファン回転数Ｎｓで燃焼ファン１６を回転させ、そのときのファン電流値Ｊｓを測定してメモリ３４に記憶する。燃焼装置をある場所に設置した後、燃焼ファン１６を同じファン回転数Ｎｓで回転させ、そのときのファン電流値Ｊｔを測定してメモリ３４に記憶する。ファン回転数制御方式の燃焼装置においては、ガス比例弁２３の比例弁電流Ｉａに対応してファン電流値Ｎａが決定され、このファン回転数はＮｂ＝√（Ｊｓ／Ｊｔ）×Ｎａと補正され、燃焼ファン１６はファン回転数がＮｂとなるように制御される。【選択図】図６
2008051428.tif 000002
【特許請求の範囲】
【請求項１】
燃料ガスを燃焼させるバーナと、前記バーナに燃焼用の空気を供給する燃焼ファンと、前記燃焼ファンのファン回転数を検知するファン回転数検知部と、前記燃焼ファンのファン電流値を検知するファン電流値検知部と、標準となる標高地において所定ファン回転数で前記燃焼ファンを運転したときに検知された第１のファン電流値及び設置場所において前記所定ファン回転数と同じファン回転数で前記燃焼ファンを運転したときに検知された第２のファン電流値を記憶した記憶手段と、前記燃焼ファンを制御する制御部とを備え、
前記制御部は、前記第１のファン電流値と前記第２のファン電流値に基づいて前記燃焼ファンが供給する空気量を制御するための制御パラメータを補正する補正手段を有することを特徴とする燃焼装置。
【請求項２】
燃料ガスを燃焼させるバーナと、前記バーナに燃焼用の空気を供給する燃焼ファンと、前記燃焼ファンのファン回転数を検知するファン回転数検知部と、前記燃焼ファンのファン電流値を検知するファン電流値検知部と、標準となる標高地において所定ファン電流値で前記燃焼ファンを運転したときに検知された第１のファン回転数及び設置場所において前記所定ファン電流値と同じファン電流値で前記燃焼ファンを運転したときに検知された第２のファン回転数を記憶した記憶手段と、前記燃焼ファンを制御する制御部とを備え、
前記制御部は、前記第１のファン回転数と前記第２のファン回転数に基づいて前記燃焼ファンが供給する空気量を制御するための制御パラメータを補正する補正手段を有することを特徴とする燃焼装置。
【請求項３】
燃料ガスを燃焼させるバーナと、前記バーナに燃焼用の空気を供給する燃焼ファンと、前記燃焼ファンのファン回転数を検知するファン回転数検知部と、前記燃焼ファンのファン電流値を検知するファン電流値検知部と、標準となる標高地において所定ファン回転数で前記燃焼ファンを運転したときに検知された第１のファン電流値及び設置場所において前記所定ファン回転数と同じファン回転数で前記燃焼ファンを運転したときに検知された第２のファン電流値を記憶した記憶手段と、前記バーナから噴出される燃料ガスの量を制御する制御部とを備え、
前記制御部は、前記第１のファン電流値と前記第２のファン電流値に基づいて前記バーナから噴出される燃料ガスの量を制御するための制御パラメータを補正する補正手段を有することを特徴とする燃焼装置。
【請求項４】
燃料ガスを燃焼させるバーナと、前記バーナに燃焼用の空気を供給する燃焼ファンと、前記燃焼ファンのファン回転数を検知するファン回転数検知部と、前記燃焼ファンのファン電流値を検知するファン電流値検知部と、標準となる標高地において所定ファン電流値で前記燃焼ファンを運転したときに検知された第１のファン回転数及び設置場所において前記所定ファン電流値と同じファン電流値で前記燃焼ファンを運転したときに検知された第２のファン回転数を記憶した記憶手段と、前記バーナから噴出される燃料ガスの量を制御する制御部とを備え、
前記制御部は、前記第１のファン回転数と前記第２のファン回転数に基づいて前記バーナから噴出される燃料ガスの量を制御するための制御パラメータを補正する補正手段を有することを特徴とする燃焼装置。
【請求項５】
前記補正手段は、標準となる標高地において前記バーナから噴出される燃料ガスの量に対する設置場所において前記バーナから噴出される燃料ガスの量の比と、標準となる標高地において前記燃焼ファンにより供給される空気量に対する設置場所において前記燃焼ファンにより供給される空気量の比とが等しくなるように、前記制御パラメータを補正することを特徴とする、請求項１から４のいずれか１項に記載の燃焼装置。
【請求項６】
第１のファン電流値及び第２のファン電流値は、前記所定ファン回転数をある範囲にわたって変化させながら検知され、前記記憶手段に記憶されていることを特徴とする、請求項１又は３に記載の燃焼装置。
【請求項７】
第１のファン回転数及び第２のファン回転数は、前記所定ファン電流値をある範囲にわたって変化させながら検知され、前記記憶手段に記憶されていることを特徴とする、請求項２又は４に記載の燃焼装置。
【請求項８】
前記制御パラメータが前記燃焼ファンのファン回転数であり、
標準となる標高地において所定ファン回転数で前記燃焼ファンを運転したときに検知された第１のファン電流値をＪｓ、設置場所において前記所定ファン回転数と同じファン回転数で前記燃焼ファンを運転したときに検知された第２のファン電流値をＪｔとしたとき、
前記補正手段は、前記燃焼ファンのファン回転数を、標準となる標高地におけるファン回転数の√（Ｊｓ／Ｊｔ）倍となるように補正することを特徴とする、請求項１に記載の燃焼装置。
【請求項９】
前記制御パラメータが前記燃焼ファンのファン電流値であり、
標準となる標高地において所定ファン回転数で前記燃焼ファンを運転したときに検知された第１のファン電流値をＪｓ、設置場所において前記所定ファン回転数と同じファン回転数で前記燃焼ファンを運転したときに検知された第２のファン電流値をＪｔとしたとき、
前記補正手段は、前記燃焼ファンのファン電流値を、標準となる標高地におけるファン電流値の√（Ｊｔ／Ｊｓ）倍となるように補正することを特徴とする、請求項１に記載の燃焼装置。
【請求項１０】
前記制御パラメータが前記燃焼ファンのファン回転数であり、
標準となる標高地において所定ファン電流値で前記燃焼ファンを運転したときに検知された第１のファン回転数をＮｓ、設置場所において前記所定ファン電流値と同じファン電流値で前記燃焼ファンを運転したときに検知された第２のファン回転数をＮｔとしたとき、
前記補正手段は、前記燃焼ファンのファン回転数を、標準となる標高地におけるファン回転数の√（Ｎｔ／Ｎｓ）倍となるように補正することを特徴とする、請求項２に記載の燃焼装置。
【請求項１１】
前記制御パラメータが前記燃焼ファンのファン電流値であり、
標準となる標高地において所定ファン電流値で前記燃焼ファンを運転したときに検知された第１のファン回転数をＮｓ、設置場所において前記所定ファン電流値と同じファン電流値で前記燃焼ファンを運転したときに検知された第２のファン回転数をＮｔとしたとき、
前記補正手段は、前記燃焼ファンのファン電流値を、標準となる標高地におけるファン電流値の√（Ｎｓ／Ｎｔ）倍となるように補正することを特徴とする、請求項２に記載の燃焼装置。
【発明の詳細な説明】
【技術分野】
【０００１】
本発明は燃焼装置に関し、より詳細には、燃焼用空気を給気系（燃焼ファン）により供給する強制給排気式の燃焼装置に関する。
【背景技術】
【０００２】
ガス給湯器や風呂釜等においては、燃焼ファンを備えた強制給排気式の燃焼装置が用いられている。強制給排気式の燃焼装置においては、燃料ガスを燃焼させながら燃焼ファンによって最適な量の空気を供給し、適正な空燃比（空気量と燃焼ガス量のほぼ理想的な混合比）で燃料ガスを完全燃焼させている。
【０００３】
このように燃料ガスを適正な空燃比で燃焼させるための給気方式としては、従来よりファン回転数制御方式とファン電流値制御方式とが知られている。
【０００４】
ファン回転数制御方式、ファン電流値制御方式のいずれの方式においても、燃焼ガス量（燃料ガスの単位時間当たりの供給量、すなわちガス流量）を比例弁電流によって制御している。すなわち、バーナに燃料ガスを供給するガス配管にはガス比例弁が設けられており、このガス比例弁に流す比例弁電流の値を変化させるとガス比例弁の弁開度が変化し、バーナから噴出する燃焼ガス量が変化する。そして、燃焼装置のコントローラは、バーナの燃焼力が設定された強さとなるようにガス比例弁の比例弁電流を制御している。
【０００５】
（ファン回転数制御方式）
ファン回転数制御方式の場合には、上記のようにして制御される比例弁電流に対し、適正な空燃比が得られるようにファン回転数を決定し、決定されたファン回転数を維持するように燃焼ファンを制御する。図１はこのファン回転数制御方式を説明するための模式図であって、その象限（II）に示すグラフＡは平地（標高０ｍ）において適正な空燃比となる燃焼ガス量Ｗとファン回転数Ｎとの関係を表わし、象限（III）に示すグラフＢ０は平地におけるガス比例弁の比例弁電流Ｉとバーナから噴出する燃焼ガス量Ｗとの関係を表わしている。また、図１の象限（I）に示すグラフＣ０は、グラフＡとグラフＢ０を合成することにより、平地において適正な空燃比が得られる条件を比例弁電流Ｉとファン回転数Ｎとの関係で表わしたものである。ファン回転数制御方式では、このグラフＣ０をメモリ等の記憶装置に記憶しており、グラフＣ０を用いて比例弁電流Ｉに対応したファン回転数Ｎを演算し、そのファン回転数となるように燃焼ファンのファン回転数を制御している。
【０００６】
しかしながら、ファン回転数制御方式の燃焼装置では、標高数千メートルの高地に設置した場合には、バーナが空気不足で燃焼し、燃焼不良などの問題を生じていた。その理由は、以下に説明するとおりである。
【０００７】
一般に、ノズルから噴出するガス量は、次の数式１で表わされる。
【数１】
2008051428.tif 000003
ここで、Ｑはノズルから噴出するガス流量、Φはノズル径、Πはノズル内におけるガスの圧力、ｄはノズルから噴出されたガスの比重（大気中におけるガスの比重）、Ｋは流量係数（流体流の実際の速度と理論速度との比）である。この数式１を燃焼装置のバーナに適用すると、ガス流量Ｑがバーナの燃焼ガス量Ｗに相当し、ノズル径Φは比例弁電流によって変化し、ガスの比重ｄは大気圧Ｐに比例するので、バーナの燃焼ガス量Ｗは、次の数式２のように表わすことができる。
【数２】
2008051428.tif 000004
ここで、Ｇ（Ｉ）は比例弁電流Ｉに依存する係数である。なお、ガスの比重ｄが大気圧Ｐに比例する点はボイル・シャルルの法則による。すなわち、重量がωのガスを考え、圧力（大気圧）がＰで温度がＴのときのガスの体積をＶとすれば、ｄ＝ω／Ｖ で、ボイル・シャルルの法則より Ｐ・Ｖ／Ｔ＝一定 であるから、
ｄ ∝ ω・Ｐ／Ｔ
となり、ガスの比重ｄが大気圧Ｐに比例することが分かる。
【０００８】
また、平地における大気圧とバーナの燃焼ガス量をそれぞれＰ０、Ｗ０とし、高地における大気圧とバーナの燃焼ガス量をそれぞれＰ、Ｗとすれば、上記数式２は次の数式３のように表わされる。
【数３】
2008051428.tif 000005
【０００９】
上記数式２又は数式３から分かるように、高地においてはガス比重ｄが小さくなるために燃焼ガス量Ｗが増加し、比例弁電流Ｉの値が同じであっても標高が高くなるに従ってバーナから噴出する燃焼ガス量Ｗが増加する。図１で説明すると、比例弁電流Ｉに対する燃焼ガス量Ｗの変化は、平地においては象限（III）のグラフＢ０のようになるが、高地においては象限（III）のグラフＢ１のようになる。
【００１０】
一方、燃焼ファンによって給気される空気量は、大気圧が異なっても燃焼ファンの回転数が一定であれば変化しないため、図１の象限（II）の適正な空燃比を表わすグラフＡは燃焼装置の設置される場所の標高によっては変化しない。そのため、高地において適正な空燃比を得るための、比例弁電流Ｉとファン回転数Ｎとの関係は、グラフＢ１とグラフＡとを合成することにより、図１の象限（I）のグラフＣ１となる。
【００１１】
しかし、燃焼装置のコントローラは、記憶装置に記憶している平地用のグラフＣ０に基づいてファン回転数Ｎを決めるので、高地ではファン回転数Ｎが適正回転数よりも小さくなり、空気量が不足することになる。具体的に言うと、比例弁電流がＩ１のとき高地では燃焼ガス量がＷ１となるので、適正な空燃比を得るためには、ファン回転数ＮはＮ１となるように制御されなければならないが、コントローラはグラフＣ０を用いてファン回転数ＮをＮ０（＜Ｎ１）となるように制御するので、空気量が不足する。その結果、前記のように、高地においては燃焼装置が酸欠により燃焼不良を起こしていた。
【００１２】
図２は、標高０ｍ、１０００ｍ、１５００ｍ、２０００ｍの場所における大気圧Ｐ、ガス比重ｄ、燃焼ガス量Ｗ、バーナの発熱量を表わしている。また、図２には、ファン回転数制御方式の燃焼装置を標高０ｍ、１０００ｍ、１５００ｍ、２０００ｍの場所に設置した場合における、燃焼ファンのファン電流値Ｊ、空気量Ｂ、燃焼性を求めた結果を表わしている。但し、図２に示した数値はいずれも大気温度Ｔo＝１５℃とし、比例弁電流Ｉの値も一定に保った（従って、ファン回転数も一定となるように制御されている。）場合の値であり、平地（標高０ｍ）における数値を基準（１００％）にして表わしている。
【００１３】
図２に示す大気圧Ｐの値は、つぎの数式４より計算し、標高０ｍでの大気圧Ｐ０を１００％として表わしている。
【数４】
2008051428.tif 000006
ここで、Ｐ０は標高０ｍにおける大気圧、ｈは標高、Ｔoは大気温度である。図２に示すガス比重ｄの値は、その大気圧における燃料ガスの比重であって、標高０ｍでの比重を１００％として表わしている。図２に示す燃焼ガス量Ｗの値は上記数式３により計算したものであり、標高０ｍにおける燃焼ガス量を１００％として表わしている。
【００１４】
また、発熱量とは、バーナから噴出される燃料ガスが完全燃焼するときに単位時間に発生する単位体積当たりの熱量の大きさを表わしている。この発熱量は標高ｈが高くなるにつれて小さくなり、標高ｈにおける大気圧をＰとすれば発熱量は√Ｐに比例する。この理由は次のとおりである。大気圧Ｐの場所においては、前記数式２から分かるように、バーナから噴出する燃焼ガス量（ガス流量）Ｗは１／（√Ｐ）に比例する。一方、大気中における燃料ガスの比重ｄは前記のように大気圧Ｐに比例する。よって、バーナから噴出される燃料ガスが完全燃焼するときに単位時間に発生する単位体積当たりの熱量の大きさ（発熱量）は、
Ｐ×１／（√Ｐ）＝√Ｐ
に比例する。その結果、高地へ登るほど発熱量は次第に小さくなる。
【００１５】
例えば、標高１５００ｍの場所では、大気圧は数式４より平地の０.８３４倍となるので、バーナから噴出する燃焼ガス量は、数式２より、標高１５００ｍの場所では平地の１／√（０.８３４）＝１.０９５倍となる。一方、バーナから出た燃料ガスは、標高１５００ｍの場所では平地の１／０.８３４＝１.２０倍になる（ボイル・シャルルの法則）。よって、単位時間、単位体積当たりの発熱量は、標高１５００ｍの場所では、平地の１.０９５／１.２０＝０.９１３倍となる。なお、図２に示す発熱量の値は、標高０ｍでの発熱量を１００％として表わしている。
【００１６】
ファン回転数制御方式の場合には、燃焼ファンのファン電流値Ｊは大気圧Ｐに比例する。図２に示すファン電流値Ｊの値は、平地におけるファン電流値を１００％としている。燃焼ファンの仕事量は、燃焼ファンの電圧Ｅとファン電流値Ｊの積Ｅ・Ｊに比例する。一方、送風される空気が受ける仕事量は、ガスの比重ｄと空気量（単位時間当たりの給気量）Ｂの積ｄ・Ｂに比例する。よって、これらの量Ｅ、Ｊ、ｄ、Ｂの間には、
Ｅ・Ｊ∝ｄ・Ｂ      …（数式５）
の関係が成り立つ。ここで、ファン回転数が一定の場合には空気量Ｂは一定であるから、上記のようにファン回転数制御方式の場合（電圧Ｅは一定として）には、ファン電流値Ｊはガスの比重ｄ、すなわち大気圧Ｐに比例する（Ｊ∝Ｐ）のである。図２におけるファン電流値Ｊは、この値を表わしている。
【００１７】
空気量は、標高０ｍのときを１００％としているが、ファン回転数制御方式では、比例弁電流Ｉが一定の場合にはファン回転数Ｎも一定となるように制御されるので、いずれの標高ｈにおいても空気量は１００％となっている。燃焼性とは、空気量に対するガス量の比（＝燃焼ガス量Ｗ／空気量Ｂ）であって、標高０ｍにおける燃焼性を１００％（適正な空燃比）として表わしている。
【００１８】
図２（特に、燃焼性の欄）によっても、ファン回転数制御方式の燃焼装置の場合には、標高が高くなるに従って燃焼性の値が急激に大きくなっており、空気が不足していることが分かる。
【００１９】
（ファン電流値制御方式）
つぎに、ファン電流値制御方式の場合を説明する。ファン電流値制御方式の場合には、ガス比例弁の比例弁電流Ｉに対し、適正な空燃比が得られるようにファン電流値Ｊを決定し、燃焼ファンにその値の電流を流している。図３はファン電流値制御方式を説明するための模式図であって、その象限（I）のグラフＣ０は平地において適正な空燃比となる比例弁電流Ｉとファン回転数Ｎとの関係を表わしており、これは図１のグラフＣ０と同じものである。図３の象限（II）のグラフＤ０は、平地における燃焼ファンのファン電流値Ｊとファン回転数Ｎとの関係を表わしている。また、図３の象限（III）のグラフＥ０は、グラフＣ０とグラフＤ０を合成することにより、平地において適正な空燃比が得られる条件を比例弁電流Ｉとファン電流値Ｊとの関係で表わしたものである。ファン電流値制御方式では、このグラフＥ０をメモリ等の記憶装置に記憶しており、グラフＥ０を用いて比例弁電流Ｉに応答したファン電流値Ｊを演算し、そのファン電流値Ｊの電流を燃焼ファンに流している。
【００２０】
しかしながら、ファン電流値制御方式の燃焼装置では、標高数千メートルの高地に設置した場合には、空気量が過剰でバーナにリフト現象や火移り不良などの問題を起こしていた。その理由は、以下に説明するとおりである。
【００２１】
図４は、ファン電流値Ｊを一定に保って燃焼ファンを運転したとき、燃焼装置が設置されている場所の標高ｈによってファン回転数Ｎがどのように変化するかを示した図である。ここで、ファン回転数Ｎは平地におけるファン回転数を１００％としている。標高ｈが高くなるほど空気が希薄になるので、図４に示すように、同じファン電流値Ｊであっても、標高ｈが高くなるほどファン回転数Ｎは次第に大きくなる。
【００２２】
よって、図３の象限（II）に示した平地でのグラフＤ０は高地においてはグラフＤ１のように変化する。一方、図３の象限（I）に示した平地でのグラフＣ０は、ファン回転数制御方式の説明において述べたように、高地ではグラフＣ１のように変化する。従って、高地において適正な空燃比を得ることのできる、比例弁電流Ｉとファン電流値Ｊとの関係は、グラフＣ１とグラフＤ１とを合成することによって得られ、図３の象限（III）のグラフＥ１となる。
【００２３】
しかし、燃焼装置のコントローラは、記憶装置に記憶している平地用のグラフＥ０に基づいてファン電流値Ｊを決めるので、高地においては、ファン電流値Ｊが適正なファン電流値よりも大きくなり、空気量が過剰になる。具体的に言うと、比例弁電流がＩ１のとき高地で適正な空燃比を得るためには、ファン電流値はグラフＥ１に基づいてＪ１としなければならないが、コントローラは記憶装置内のグラフＥ０を用いてファン電流値をＪ０（＞Ｊ１）となるように制御するので、空気量が過剰となる。その結果、前記のように、高地においてはバーナのリフト現象や火移り不良などの問題が生じていた。
【００２４】
図５は、標高０ｍ、１０００ｍ、１５００ｍ、２０００ｍの場所における大気圧Ｐ、ガス比重ｄ、燃焼ガス量Ｗ、バーナの発熱量を表わしている。これらの欄の数値は、図２の大気圧Ｐ、ガス比重ｄ、燃焼ガス量Ｗ、バーナの発熱量の各値と同じものである。また、図５には、ファン電流値制御方式の燃焼装置を標高０ｍ、１０００ｍ、１５００ｍ、２０００ｍの場所に設置した場合における、燃焼ファンのファン回転数Ｎ、空気量Ｂ、燃焼性を求めた結果を表わしている。但し、図５に示した数値はいずれも大気温度Ｔo＝１５℃とし、比例弁電流Ｉの値も一定に保った（従って、ファン電流値も一定となるように制御されている。）場合の値であり、平地（標高０ｍ）における数値を基準（１００％）にして表わしている。
【００２５】
ファン電流値制御方式の場合には、比例弁電流が一定であればファン電流値Ｊも一定となるので、前記数式５におけるファン電流値Ｊが一定となり、ガスの比重ｄと空気量（単位時間当たりの給気量）Ｂとが反比例する。ここでガスの比重ｄは大気圧Ｐに比例するから、結局空気量Ｂは１／Ｐに比例することになる。この値を表わしたものが図５の空気量Ｂの欄であり、空気量Ｂは標高０ｍにおける空気量を１００％として表わしている。
【００２６】
ファン回転数Ｎは、空気量Ｂに比例しており、標高０ｍのときを１００％として示している。燃焼性とは、空気量に対するガス量の比であって、標高０ｍにおける燃焼性を１００％（適正な空燃比）として表わしている。
【００２７】
図５によっても、ファン電流値制御方式の燃焼装置の場合には、標高が高くなるに従って燃焼性が急激に低下しており、空気が過剰になっていることが分かる。
【００２８】
（高地における空燃比を調整する従来例）
以上述べたように、ファン回転数制御方式でも、ファン電流値制御方式でも、平地において適正な空燃比が得られるように設計及び調整されていても、数千メートルといった高所で使用されると、燃焼ガス量に対して空気量が不足して不完全燃焼を起こしたり、あるいは、空気量の過剰によってバーナのリフト現象や火移り不良などが生じていた。
【００２９】
このような不具合を解消することを目的とする従来技術としては、特許文献１及び特許文献２に開示されたものがある。特許文献１に開示されている発明では、デジタル表示部に標高を表示させ、ボリュームの出力を調整しながらデジタル表示部に表示されている標高値を機器設置場所の標高に合わせるようになっている。こうして標高値を入力すると、ファン回転数が補正されて適正な空燃比が得られる。
【００３０】
また、特許文献２に開示されている発明では、給気温度検出手段による温度情報と気圧検出手段による気圧情報を用いて燃焼ファンのモータをファジー推論制御し、それによって最適な空気量の燃焼用空気を給気するようにしている。
【００３１】
【特許文献１】特許第２７７３３５２号公報
【特許文献２】特開平５−９９４２９号公報
【発明の開示】
【発明が解決しようとする課題】
【００３２】
しかしながら、特許文献１に開示されている発明の場合には、ボリュームを操作して標高値を入力しなければならないので、設置場所の標高値を知る必要があると共に、燃焼装置の設置時に標高値の入力作業が必要となり、手間が掛かるという問題がある。
【００３３】
また、特許文献２に開示されている発明の場合には、ファジー推論制御を行なって適正な空気量を供給するようにしているので、あいまい度合いが高く、正確さに欠ける難点がある。
【００３４】
本発明は、上記のような技術的課題を踏まえてなされたものであり、標高の異なる場所に設置されても適正な燃焼状態を得られるように給気量を自動調整することができる燃焼装置を提供することを目的とする。
【課題を解決するための手段】
【００３５】
このような目的を達成するために、本発明の請求項１に記載の燃焼装置は、燃料ガスを燃焼させるバーナと、前記バーナに燃焼用の空気を供給する燃焼ファンと、前記燃焼ファンのファン回転数を検知するファン回転数検知部と、前記燃焼ファンのファン電流値を検知するファン電流値検知部と、標準となる標高地において所定ファン回転数で前記燃焼ファンを運転したときに検知された第１のファン電流値及び設置場所において前記所定ファン回転数と同じファン回転数で前記燃焼ファンを運転したときに検知された第２のファン電流値を記憶した記憶手段と、前記燃焼ファンを制御する制御部とを備え、前記制御部は、前記第１のファン電流値と前記第２のファン電流値に基づいて前記燃焼ファンが供給する空気量を制御するための制御パラメータを補正する補正手段を有することを特徴としている。
【００３６】
請求項１の燃焼装置における、前記燃焼ファンが供給する空気量を制御するための制御パラメータとしては、燃焼ファンのファン回転数やファン電流値を選択することができる。
【００３７】
燃焼装置は、標準となる標高地（例えば、平地）において適正な空燃比で燃焼するように設計及び調整されている。しかし、標準標高地とかなり標高差のある場所に設置された場合には、その大気圧差のためにバーナから噴出される燃焼ガスの量、あるいは燃焼ファンから供給される空気量が変化し、しかもその変化の割合が等しくならないため、適正な空燃比で燃焼できなくなる。
【００３８】
これに対し、請求項１に記載の燃焼装置においては、標準となる標高地においてあるファン回転数で燃焼ファンを運転したときのファン電流値（第１のファン電流値）を計測して記憶手段に記憶させておき、また燃焼装置をある場所に設置した後に同じファン回転数で燃焼ファンを運転したときのファン電流値（第２のファン電流値）を計測して記憶手段に記憶させておけば、第１のファン電流値と第２のファン電流値との比から標準標高地における大気圧と設置場所における大気圧の比を知ることができ、設置場所における空燃比が標準標高地における空燃比、すなわち適正な空燃比とほぼ等しくなるように燃焼ファンの制御パラメータを補正することができる。
【００３９】
本発明の請求項２に記載の燃焼装置は、燃料ガスを燃焼させるバーナと、前記バーナに燃焼用の空気を供給する燃焼ファンと、前記燃焼ファンのファン回転数を検知するファン回転数検知部と、前記燃焼ファンのファン電流値を検知するファン電流値検知部と、標準となる標高地において所定ファン電流値で前記燃焼ファンを運転したときに検知された第１のファン回転数及び設置場所において前記所定ファン電流値と同じファン電流値で前記燃焼ファンを運転したときに検知された第２のファン回転数を記憶した記憶手段と、前記燃焼ファンを制御する制御部とを備え、前記制御部は、前記第１のファン回転数と前記第２のファン回転数に基づいて前記燃焼ファンが供給する空気量を制御するための制御パラメータを補正する補正手段を有することを特徴としている。
【００４０】
請求項２の燃焼装置における、前記燃焼ファンが供給する空気量を制御するための制御パラメータとしては、燃焼ファンのファン回転数やファン電流値を選択することができる。
【００４１】
請求項２に記載の燃焼装置においては、標準となる標高地においてあるファン電流値で燃焼ファンを運転したときのファン回転数（第１のファン回転数）を計測して記憶手段に記憶させておき、また燃焼装置をある場所に設置した後に同じファン電流値で燃焼ファンを運転したときのファン回転数（第２のファン回転数）を計測して記憶手段に記憶させておけば、第１のファン回転数と第２のファン回転数との比から標準標高地における大気圧と設置場所における大気圧の比を知ることができ、設置場所における空燃比が標準標高地における空燃比、すなわち適正な空燃比とほぼ等しくなるように燃焼ファンの制御パラメータを補正することができる。
【００４２】
本発明の請求項３に記載の燃焼装置は、燃料ガスを燃焼させるバーナと、前記バーナに燃焼用の空気を供給する燃焼ファンと、前記燃焼ファンのファン回転数を検知するファン回転数検知部と、前記燃焼ファンのファン電流値を検知するファン電流値検知部と、標準となる標高地において所定ファン回転数で前記燃焼ファンを運転したときに検知された第１のファン電流値及び設置場所において前記所定ファン回転数と同じファン回転数で前記燃焼ファンを運転したときに検知された第２のファン電流値を記憶した記憶手段と、前記バーナから噴出される燃料ガスの量を制御する制御部とを備え、前記制御部は、前記第１のファン電流値と前記第２のファン電流値に基づいて前記バーナから噴出される燃料ガスの量を制御するための制御パラメータを補正する補正手段を有することを特徴としている。
【００４３】
請求項３の燃焼装置における、前記バーナから噴出される燃料ガスの量を制御するための制御パラメータとしては、前記バーナから噴出される燃料ガスの量を調整するためのガス比例弁の比例弁電流や、前記バーナの設定２次圧を選択することができる。
【００４４】
請求項３に記載の燃焼装置においては、標準となる標高地においてあるファン回転数で燃焼ファンを運転したときのファン電流値（第１のファン電流値）を計測して記憶手段に記憶させておき、また燃焼装置をある場所に設置した後に同じファン回転数で燃焼ファンを運転したときのファン電流値（第２のファン電流値）を計測して記憶手段に記憶させておけば、第１のファン電流値と第２のファン電流値との比から標準標高地における大気圧と設置場所における大気圧の比を知ることができ、設置場所における空燃比が標準標高地における空燃比、すなわち適正な空燃比とほぼ等しくなるようにバーナの制御パラメータを補正することができる。
【００４５】
本発明の請求項４に記載の燃焼装置は、燃料ガスを燃焼させるバーナと、前記バーナに燃焼用の空気を供給する燃焼ファンと、前記燃焼ファンのファン回転数を検知するファン回転数検知部と、前記燃焼ファンのファン電流値を検知するファン電流値検知部と、標準となる標高地において所定ファン電流値で前記燃焼ファンを運転したときに検知された第１のファン回転数及び設置場所において前記所定ファン電流値と同じファン電流値で前記燃焼ファンを運転したときに検知された第２のファン回転数を記憶した記憶手段と、前記バーナから噴出される燃料ガスの量を制御する制御部とを備え、前記制御部は、前記第１のファン回転数と前記第２のファン回転数に基づいて前記バーナから噴出される燃料ガスの量を制御するための制御パラメータを補正する補正手段を有することを特徴としている。
【００４６】
請求項４の燃焼装置における、前記バーナから噴出される燃料ガスの量を制御するための制御パラメータとしては、前記バーナから噴出される燃料ガスの量を調整するためのガス比例弁の比例弁電流や、前記バーナの設定２次圧を選択することができる。
【００４７】
請求項４に記載の燃焼装置においては、標準となる標高地においてあるファン電流値で燃焼ファンを運転したときのファン回転数（第１のファン回転数）を計測して記憶手段に記憶させておき、また燃焼装置をある場所に設置した後に同じファン電流値で燃焼ファンを運転したときのファン回転数（第２のファン回転数）を計測して記憶手段に記憶させておけば、第１のファン回転数と第２のファン回転数との比から標準標高地における大気圧と設置場所における大気圧の比を知ることができ、設置場所における空燃比が標準標高地における空燃比、すなわち適正な空燃比とほぼ等しくなるようにバーナの制御パラメータを補正することができる。
【００４８】
本発明の請求項５に記載の燃焼装置は、請求項１から４のいずれか１項に記載の燃焼装置において、前記補正手段は、標準となる標高地において前記バーナから噴出される燃料ガスの量に対する設置場所において前記バーナから噴出される燃料ガスの量の比と、標準となる標高地において前記燃焼ファンにより供給される空気量に対する設置場所において前記燃焼ファンにより供給される空気量の比とが等しくなるように、前記制御パラメータを補正することを特徴としている。標準となる標高地において前記バーナから噴出される燃料ガスの量に対する設置場所において前記バーナから噴出される燃料ガスの量の比と、標準となる標高地において前記燃焼ファンにより供給される空気量に対する設置場所において前記燃焼ファンにより供給される空気量量の比とが等しくなるように補正すれば、設置場所における空燃比と標準標高地における空燃比とが等しくなる。燃焼装置は標準標高地においては適正な空燃比で燃焼するように設計及び調整されているので、請求項５の燃焼装置のように補正すれば、任意の標高の設置場所において燃焼装置を適正な空燃比で燃焼させることができる。
【００４９】
本発明の請求項６に記載の燃焼装置は、請求項１又は３に記載の燃焼装置において、第１のファン電流値及び第２のファン電流値は、前記所定ファン回転数をある範囲にわたって変化させながら検知され、前記記憶手段に記憶されていることを特徴としている。請求項６の燃焼装置にあっては、所定ファン回転数をある範囲にわたって変化させながら第１のファン電流値及び第２のファン電流値を検知しているので、燃焼ファンやバーナの制御パラメータの補正具合が燃焼ファンのファン回転数に依存する場合には、補正の精度を向上させることができる。
【００５０】
本発明の請求項７に記載の燃焼装置は、請求項２又は４に記載の燃焼装置において、第１のファン回転数及び第２のファン回転数は、前記所定ファン電流値をある範囲にわたって変化させながら検知され、前記記憶手段に記憶されていることを特徴としている。請求項７の燃焼装置にあっては、所定ファン電流値をある範囲にわたって変化させながら第１のファン回転数及び第２のファン回転数を検知しているので、燃焼ファンやバーナの制御パラメータの補正具合が燃焼ファンのファン電流値に依存する場合には、補正の精度を向上させることができる。
【００５１】
本発明の請求項８に記載の燃焼装置は、請求項１に記載の燃焼装置において、前記制御パラメータが前記燃焼ファンのファン回転数であり、標準となる標高地において所定ファン回転数で前記燃焼ファンを運転したときに検知された第１のファン電流値をＪｓ、設置場所において前記所定ファン回転数と同じファン回転数で前記燃焼ファンを運転したときに検知された第２のファン電流値をＪｔとしたとき、前記補正手段は、前記燃焼ファンのファン回転数を、標準となる標高地におけるファン回転数の√（Ｊｓ／Ｊｔ）倍となるように補正することを特徴としている。このような補正によれば、燃焼装置の設置場所の標高に拘わらず、適正な空燃比で燃料ガスが燃焼するよう自動的に空燃比を調整することができる。
【００５２】
本発明の請求項９に記載の燃焼装置は、請求項１に記載の燃焼装置において、前記制御パラメータが前記燃焼ファンのファン電流値であり、標準となる標高地において所定ファン回転数で前記燃焼ファンを運転したときに検知された第１のファン電流値をＪｓ、設置場所において前記所定ファン回転数と同じファン回転数で前記燃焼ファンを運転したときに検知された第２のファン電流値をＪｔとしたとき、前記補正手段は、前記燃焼ファンのファン電流値を、標準となる標高地におけるファン電流値の√（Ｊｔ／Ｊｓ）倍となるように補正することを特徴としている。このような補正によれば、燃焼装置の設置場所の標高に拘わらず、適正な空燃比で燃料ガスが燃焼するよう自動的に空燃比を調整することができる。
【００５３】
本発明の請求項１０に記載の燃焼装置は、請求項２に記載の燃焼装置において、前記制御パラメータが前記燃焼ファンのファン回転数であり、標準となる標高地において所定ファン電流値で前記燃焼ファンを運転したときに検知された第１のファン回転数をＮｓ、設置場所において前記所定ファン電流値と同じファン電流値で前記燃焼ファンを運転したときに検知された第２のファン回転数をＮｔとしたとき、前記補正手段は、前記燃焼ファンのファン回転数を、標準となる標高地におけるファン回転数の√（Ｎｔ／Ｎｓ）倍となるように補正することを特徴としている。このような補正によれば、燃焼装置の設置場所の標高に拘わらず、適正な空燃比で燃料ガスが燃焼するよう自動的に空燃比を調整することができる。
【００５４】
本発明の請求項１１に記載の燃焼装置は、請求項２に記載の燃焼装置において、前記制御パラメータが前記燃焼ファンのファン電流値であり、標準となる標高地において所定ファン電流値で前記燃焼ファンを運転したときに検知された第１のファン回転数をＮｓ、設置場所において前記所定ファン電流値と同じファン電流値で前記燃焼ファンを運転したときに検知された第２のファン回転数をＮｔとしたとき、前記補正手段は、前記燃焼ファンのファン電流値を、標準となる標高地におけるファン電流値の√（Ｎｓ／Ｎｔ）倍となるように補正することを特徴としている。このような補正によれば、燃焼装置の設置場所の標高に拘わらず、適正な空燃比で燃料ガスが燃焼するよう自動的に空燃比を調整することができる。
【００５５】
なお、本発明の燃焼装置において燃料ガスというときは、天然ガスや都市ガス、プロパンガスなどに限らず、バーナから霧状に噴出された石油なども含まれるものとする。
【発明の効果】
【００５６】
以上説明したように、本発明によれば、標準標高地以外の任意の標高の場所に燃焼装置を設置した場合でも、燃焼装置を適正な空燃比で燃焼させることができ、燃料ガスが酸欠により不完全燃焼したり、バーナのリフト現象や火移り不良などを起こしたりする不具合を解消することができる。
【発明を実施するための最良の形態】
【００５７】
以下、図面を参照しながら本発明の実施形態について詳細に説明する。
【００５８】
（実施形態１）
まず、ファン回転数制御方式の燃焼装置の場合について説明する。図６は、本発明にかかる燃焼装置１１の基本的な構造を示す概略図である。この燃焼装置１１では、缶体１２内に熱交換器１３とバーナ１４が納められている。バーナ１４は熱交換器１３の下方に配置されており、燃料ガスを燃焼させることで熱交換器１３を通過する水を加熱する。缶体１２の下面に設けられた給気口１５には燃焼ファン１６が取付けられ、缶体１２の上端部には排気口１７が開口されている。そして、バーナ１４が燃料ガスを燃焼させる際には、燃焼ファン１６を運転して燃焼ファン１６からバーナ１４に燃焼用の空気を供給し、燃焼後の排ガスを排気口１７から外部へ強制的に排出させるようにしている。
【００５９】
熱交換器１３の水流入側には市水道等につながった給水管１８が接続され、熱交換器１３の出湯側にはカラン等の給湯端末につながった出湯管１９が接続されており、給水管１８から供給された水は熱交換器１３を通過する際にバーナ１４で燃焼させられた燃料ガスの熱で加熱され、加熱された湯は出湯管１９へ送り出される。また、熱交換器１３を通過する水の流量及び水温は、給水管１８に設けられた水流量センサ２０と水温センサ２１によって検知される。
【００６０】
バーナ１４にはガス供給管２２から燃料ガスが供給されており、ガス供給管２２にはガス流量を制御するためのガス比例弁２３が設けられている。
【００６１】
燃焼ファン１６は、ファンモータによってシロッコファン等を回転させて送風するものであり、ファンモータに流す電流値（ファン電流値）を制御することによってファン回転数（すなわち、給気量）を調節する。燃焼ファン１６には、そのファン回転数を検知するファン回転数検知部２４（例えばホール素子）とファン電流値を検知するファン電流値検知部２５（電流計）とが設けられている。
【００６２】
燃焼装置１１は、マイコンや電子回路、メモリ等によって構成されたコントローラ２６を備えている。コントローラ２６は、水流量センサ２０、水温センサ２１、ファン回転数検知部２４、ファン電流値検知部２５、リモコン２８などから信号を受け取り、それらの信号に基づいてガス比例弁２３や燃焼ファン１６を制御している。また、コントローラ２６は、通常運転モードと設定モードとを切り換えるための切換スイッチ２７を有している。
【００６３】
屋外に設置された燃焼装置１１を屋内側から操作させるため、コントローラ２６には屋内に設置されたリモコン２８が接続されている。例えば、リモコン２８からは、燃焼装置１１の運転をオン、オフしたり、出湯温度の設定値を入力したりできる。
【００６４】
図７はコントローラ２６の有する機能を表わした機能ブロック図である。符号３１は、ガス比例弁２３に流す比例弁電流Ｉの目標値を演算するための比例弁電流値演算部である。比例弁電流値演算部３１は、水流量センサ２０で検知された水の流量と水温センサ２１で検知された水温を読み取り、その流量及び水温の水をリモコン２８で設定されている出湯温度まで加熱するのに必要な燃焼ガス量が得られるように比例弁電流Ｉの値を演算する。符号３２は、比例弁電流Ｉを調整することによってガス比例弁２３の弁開度を制御するガス比例弁制御部であって、比例弁電流値演算部３１で演算された値となるように比例弁電流Ｉを調整する。よって、ガス比例弁制御部３２により、比例弁電流値演算部３１で演算された比例弁電流Ｉとなるようにガス比例弁２３を制御することにより、リモコン２８で設定された温度の湯を熱交換器１３から出湯させることができる。
【００６５】
符号３３は、バーナ１４で燃焼する燃料ガスが適正な空燃比で燃焼するのに必要な空気量を給気するファン回転数Ｎを演算するファン回転数演算部である。メモリ３４は、標準標高地、例えば標高０ｍの平地における適正な空燃比を得るための比例弁電流Ｉとファン回転数Ｎとの関係（すなわち、図１のグラフＣ０；以下、これを標準Ｉ−Ｎ関係という。）を記憶している。ファン回転数演算部３３は、比例弁電流値演算部３１で演算された比例弁電流Ｉの値を読み取り、メモリ３４に記憶されている標準Ｉ−Ｎ関係を用いて最適なファン回転数Ｎを演算する。符号３５は、燃焼ファン１６のファン回転数Ｎを調整することによって空気量を制御する燃焼ファン制御部であって、ファン回転数演算部３３で演算されたファン回転数の演算値と等しくなるようにファン回転数Ｎを調整する。
【００６６】
符号３６は、補正係数演算部、３７は補正係数読出部である。メモリ３４は、標準Ｉ−Ｎ関係を記憶しているので、標準標高地と大きな標高差がある場所に燃焼装置１１が設置された場合には、適正な空燃比が得られなくなる場合がある。よって、標準標高地と大きな標高差がある場所に燃焼装置１１が設置された場合には、切換スイッチ２７を設定モードに切換えて燃焼装置１１を試運転し、その運転状態から補正係数Ｋｎを求め、その補正係数Ｋｎをメモリ３４に記憶しておく。そして、切換スイッチ２７を通常モードに戻して燃焼装置１１を通常運転する場合には、標準Ｉ−Ｎ関係に基づいてファン回転数Ｎを決めるとともにメモリ３４から補正係数Ｋｎを読み出してファン回転数を補正し、補正されたファン回転数となるように燃焼ファン１６を制御する。
【００６７】
つぎに、ファン回転数の補正方法とその原理を説明する。最初に、標準標高地（燃焼装置１１が適正な空燃比で燃焼するように設計された標準の標高の場所であって、たとえば平地にある工場内や試験場所など）において、所定のファン回転数Ｎｓで燃焼ファン１６を運転し、そのときのファン電流値Ｊｓを測定しておく。このときには、バーナ１４も燃焼させて燃焼装置１１を燃焼運転してもよく、あるいはバーナ１４は燃焼させず燃焼ファン１６だけを運転してもよい。図８はこの標準標高地における試運転の手順を示すフロー図である。
【００６８】
図８に従って標準標高地における試運転の手順を説明する。まず、切換スイッチ２７を設定モードに切換えて試運転を開始し、燃焼ファン１６を所定の回転数Ｎｓとなるように回転させ（ステップＳ１）、燃焼ファン１６の回転が安定するように所定時間が経過するまで待つ（ステップＳ２）。所定時間が経過したらファン回転数検知部２４はファン回転数を測定し、ファン回転数が所定回転数Ｎｓとなっていることを確認し（ステップＳ３）、ファン電流値検知部２５はそのときのファン電流値Ｊｓを測定する（ステップＳ４）。そして、測定したファン回転数Ｎｓとファン電流値Ｊｓをメモリ３４に書込んで記憶する（ステップＳ５）。ついで、燃焼ファン１６を停止させて（ステップＳ６）試運転を終了し、切換スイッチ２７を通常モードに戻す。
【００６９】
なお、このときのファン回転数Ｎｓは、燃焼ファン１６の通常の燃焼運転時のファン回転数の範囲内の値であることが望ましい。また、この標準標高地における試運転は、一台一台の燃焼装置１１について行なう必要はなく、１台ないし数台の燃焼装置１１を用いて採取したデータ（ファン回転数Ｎｓ、ファン電流値Ｊｓ）を他の燃焼装置１１のメモリに書き込むようにしてもよい。
【００７０】
ついで、燃焼ファン１６が標準標高地とかなり標高差のある場所に設置された場合には、標準標高地における試運転時のファン回転数Ｎｓと同じファン回転数で燃焼ファン１６を回転させ、そのときのファン電流値Ｊｔを測定する。そして、標準標高地におけるファン電流値Ｊｓと設置場所におけるファン電流値Ｊｔから補正値Ｋｎを求める。図９はこの設置場所における試運転の手順を示すフロー図である。
【００７１】
図９に従って設置場所における試運転の手順を説明する。まず、切換スイッチ２７を設定モードに切り換えて試運転を開始し、燃焼ファン１６を標準標高地における試運転時と同じファン回転数Ｎｓで回転させる（ステップＳ１１）。ファン回転数検知部２４で測定されている燃焼ファン１６のファン回転数を監視し、ファン回転数が標準標高地における試運転時と同じファン回転数Ｎｓで安定したことを確認することができたら（ステップＳ１２でYESのとき）、ファン電流値検知部２５はそのときのファン電流値Ｊｔを測定する（ステップＳ１３）。ついで、補正係数演算部３６はファン回転数がＮｓのときの標準標高地における試運転時のファン電流値Ｊｓと設置場所における試運転時のファン電流値Ｊｔとから補正係数Ｋｎ＝√（Ｊｓ／Ｊｔ）を求め（ステップＳ１４）、この補正係数Ｋｎ＝√（Ｊｓ／Ｊｔ）をメモリ３４に書込んで記憶する（ステップＳ１５）。ついで、燃焼ファン１６を停止させて（ステップＳ１６）試運転を終了し、切換スイッチ２７を通常モードに戻す。
【００７２】
図１０のフロー図は、上記のようにして求めた補正係数Ｋｎを用いた燃焼装置１１の燃焼運転を表わしている。設置場所において燃焼装置１１の運転を開始し（ステップＳ２１）、リモコン２８の設定温度や水の流量等に応じて制御されているガス比例弁２３の比例弁電流の値Ｉａを比例弁電流値演算部３１から読み取る（ステップＳ２２）。ついで、ファン回転数演算部３３は、メモリ３４内の標準Ｉ−Ｎ関係を用いて比例弁電流Ｉａに対応したファン回転数Ｎａを決め（ステップＳ２３）、補正係数読出部３７はメモリ３４から補正係数Ｋｎを読み出し（ステップＳ２４）、ファン回転数演算部３３は標準Ｉ−Ｎ関係から決めたファン回転数Ｎａに補正係数Ｋｎを掛けた
Ｎｂ＝Ｋｎ×Ｎａ＝√（Ｊｓ／Ｊｔ）×Ｎａ
を適正なファン回転数Ｎｂとし（ステップＳ２５）、燃焼ファン制御部３５は適正なファン回転数Ｎｂで回転するように燃焼ファン１６を制御する（ステップＳ２６）。そして、燃焼装置１１が運転を継続している間（ステップＳ２７でYESの場合）は、ステップＳ２２−Ｓ２６を繰り返すことによって適正なファン回転数Ｎｂで燃焼ファン１６を運転する。これによって、燃焼装置１１の設置されている場所の標高によらず、燃焼装置１１を適正な空燃比で燃焼させることができる。
【００７３】
つぎに、上記のようにしてファン回転数を補正することにより高地など標準標高地以外の場所においても適正な空燃比が得られる理由を説明する。前記数式２から分かるように、燃焼ガス量Ｗは１／（√Ｐ）に比例するので、標準標高地（大気圧Ｐ０）における燃焼ガス量をＷ０、設置場所（大気圧Ｐ１）における燃焼ガス量をＷ１とすれば、ガス比例弁２３の比例弁電流が同じ値Ｉａであるとき、
Ｗ１／Ｗ０＝√（Ｐ０／Ｐ１）      …（数式６）
となり、高地にいくほど燃焼ガス量Ｗが大きくなる。
【００７４】
この数式６の右辺√（Ｐ０／Ｐ１）は、図８に示した標準標高地での試運転時のファン電流値Ｊｓと、図９に示した設置場所での試運転時のファン電流値Ｊｔによって表わすことができる。すなわち、前記数式５によれば、（電圧Ｅを一定として）ファン電流値Ｊは燃料ガスの比重ｄと空気量Ｂの積に比例する。ここで、燃料ガスの比重ｄは大気圧Ｐに比例し、空気量Ｂはファン回転数Ｎで決まる。よって、ファン回転数Ｎが同じ値であればファン電流値Ｊは大気圧Ｐに比例することになるので、図８及び図９の試運転時においてファン回転数を同じ値Ｎａに保っているとき、標準標高地（大気圧Ｐ０）における試運転時のファン電流値をＪｓ、燃焼装置１１の設置場所（大気圧Ｐ１）における試運転時のファン電流値をＪｔとすれば、
Ｊｔ／Ｊｓ＝Ｐ１／Ｐ０      …（数式７）
となる。従って、前記数式６と数式７により、Ｗ１／Ｗ０は試運転時のファン電流値Ｊｓ、Ｊｔを用いて次の数式８のように表わすことができる。
Ｗ１／Ｗ０＝√（Ｊｓ／Ｊｔ）      …（数式８）
【００７５】
このように比例弁電流が同じ値であっても、燃焼装置１１の設置場所における燃焼ガス量Ｗ１は、標準標高地における燃焼ガス量Ｗ０の√（Ｊｓ／Ｊｔ）倍となる。これに対し、上記ステップＳ２２、Ｓ２３のように標準Ｉ−Ｎ関係を用いて比例弁電流Ｉａに対応するファン回転数Ｎａを決めた場合には、標高ｈによってファン回転数Ｎａ（図１２の初期設定ファン回転数Ｎａ）は変化しないので空気量Ｂも変わらず、高地においては空気量Ｂが不足することになる。
【００７６】
よって、ある標高の設置場所において適正な空燃比を維持させるためには、設置場所における燃焼ガス量Ｗ１が標準標高地での燃焼ガス量Ｗ０の√（Ｊｓ／Ｊｔ）倍になるのに対応させて、燃焼装置１１の設置場所において供給される空気量も標準標高地における空気量の√（Ｊｓ／Ｊｔ）倍となるように補正すればよい。
【００７７】
燃焼ファン１６によって供給される空気量はファン回転数Ｎに比例するので、燃焼運転時において、空気量を√（Ｊｓ／Ｊｔ）倍にするためには、補正係数
Ｋｎ＝√（Ｊｓ／Ｊｔ）      …（数式９）
を用いて、ステップＳ２５のように標準Ｉ−Ｎ関係によって決まるファン回転数Ｎａを
Ｎｂ＝Ｋｎ×Ｎａ＝√（Ｊｓ／Ｊｔ）×Ｎａ      …（数式１０）
（図１２の補正後のファン回転数Ｎｂ）と補正し、燃焼装置１１を燃焼ファン１６のファン回転数がＮｂとなるように制御すればよい。
【００７８】
このように燃焼装置１１を標準標高地と異なる場所（以下、単に設置場所という。）に設置した場合には、ファン回転数がＮｂ＝Ｋｎ×Ｎａとなるように制御すれば、設置場所に設置後の空燃比が標準標高地における空燃比と等しくなり、任意の標高の設置場所において適正な空燃比を得ることができる。
【００７９】
つぎに具体的な数字で適正な空燃比が得られることを示す。図１１は、標高０ｍ、１０００ｍ、１５００ｍ、２０００ｍの場所における大気圧Ｐ、ガス比重ｄ、燃焼ガス量Ｗ、バーナの発熱量を表わしている。これらの欄の数値は、図２で示した大気圧Ｐ、ガス比重ｄ、燃焼ガス量Ｗ、バーナの発熱量の各値と同じものである。また、図１１には、実施形態１によるファン回転数制御方式の燃焼装置１１を標高０ｍ、１０００ｍ、１５００ｍ、２０００ｍの場所に設置した場合における、補正係数Ｋｎ、燃焼ファン１６の補正後のファン回転数Ｎｂ、空気量Ｂ、燃焼性を求めた結果を表わしている。補正係数Ｋｎは、
Ｋｎ＝√（Ｊｓ／Ｊｔ）＝√（Ｐ０／Ｐ１）
から求めたものであり、標高０ｍのときの値を１としている。補正後のファン回転数Ｎｂは、Ｎｂ＝Ｋｎ×Ｎａ（Ｎａは一定）から求めたものであり、標高０ｍのときの値を１００％としている。空気量Ｂはファン回転数Ｎｂに比例するものであり、標高０ｍのときの値を１００％としている。燃焼性は、燃焼ガス量Ｗ／空気量Ｂであって、標高０ｍのときの値を１００％としている。但し、図１１に示した数値はいずれも大気温度Ｔo＝１５℃とし、比例弁電流の値Ｉａも一定に保った場合の値である。
【００８０】
図１１によれば、いずれの標高においても燃焼性が１００％となっており、いずれの標高の場所においても適正な空燃比で燃焼装置１１が燃焼していることが分かる。
【００８１】
図１２は、実施形態１のファン回転数制御方式の燃焼装置１１における初期設定のファン回転数Ｎａと、補正後のファン回転数Ｎｂと、初期設定ファン回転数Ｎａに対応するファン電流値と、補正後のファン回転数Ｎｂに対応するファン電流値の標高ｈに関する変化を表わしている。
【００８２】
なお、実施形態１では、ステップＳ１４、Ｓ１５で補正係数Ｋｎを演算及び記憶しておき、ステップＳ２５、Ｓ２６で補正係数Ｋｎを用いて初期設定ファン回転数Ｎａを補正し、補正後のファン回転数Ｎｂで燃焼ファン１６を制御するようにしたが、これと異なる手順の変形例も可能である。例えば、比例弁電流Ｉａとファン回転数Ｎａとの関係を補正係数Ｋｎで補正したもの、つまり比例弁電流Ｉａと補正後のファン回転数Ｎｂ（＝Ｋｎ×Ｎａ）との関係をメモリ３４に記憶させておき、この比例弁電流Ｉａと補正後のファン回転数Ｎｂとの関係をメモリ３４から読み出して燃焼ファン１６をファン回転数制御するようにしてもよい。
【００８３】
（実施形態２）
つぎに、ファン電流値制御方式の燃焼装置の場合について説明する。この燃焼装置１１の構造は図６に示した実施形態１の燃焼装置１１と同じであるので、実施形態２の燃焼装置１１の構造は図示とその説明を省略する。
【００８４】
図１３はファン電流値制御方式の燃焼装置１１に用いられているコントローラ２６の機能を表わした機能ブロック図である。実施形態２のコントローラ２６は、実施形態１のコントローラ２６（図７）とほぼ同様な機能を有しているので、同一構成部分には図７のコントローラ２６と同一符号を付してその説明を省略し、異なる構成部分を主として説明する。
【００８５】
符号４１は、バーナ１４で燃焼する燃料ガスが適正な空燃比で燃焼するのに必要な空気量を燃焼ファン１６で給気するために、燃焼ファン１６に流すファン電流値Ｊを演算するファン電流値演算部である。メモリ３４は、標準標高地、例えば標高０ｍの平地における適正な空燃比を得るための比例弁電流Ｉとファン電流値Ｊとの関係（すなわち、図３のグラフＥ０；以下、これを標準Ｉ−Ｊ関係という。）を記憶している。ファン電流値演算部４１は、比例弁電流値演算部３１で演算された比例弁電流Ｉの値を読み取り、メモリ３４に記憶されている標準Ｉ−Ｊ関係を用いて最適なファン電流値Ｊを演算する。符号３５は燃焼ファン１６のファン電流値Ｊを調整することによって空気量を制御する燃焼ファン制御部であって、ファン電流値演算部４１で演算されたファン電流の演算値と等しくなるようにファン電流値Ｊを調整する。
【００８６】
符号３６は補正係数演算部、３７は補正係数読出部、３４はメモリである。標準標高地と大きな標高差がある場所に燃焼装置１１が設置された場合には、切換スイッチ２７を設定モードに切換えて燃焼装置１１を試運転し、その運転状態から補正係数Ｋｊを求め、その補正係数Ｋｊをメモリ３４に記憶しておく。そして、切換スイッチ２７を通常モードに戻して燃焼装置１１を通常運転する場合には、メモリ３４内の標準Ｉ−Ｊ関係に基づいてファン電流値Ｊを決めるとともにメモリ３４から補正係数Ｋｊを読み出してファン電流値Ｊを補正し、補正されたファン電流値となるように燃焼ファン１６を制御する。ただし、実施形態２の補正係数演算部３６、補正係数読出部３７及びメモリ３４で扱う補正係数Ｋｊは、実施形態１の補正係数Ｋｎとは異なる。
【００８７】
つぎに、ファン電流値Ｊの補正方法とその原理を説明する。最初に、標準標高地（たとえば、平地にある工場内や試験場所など）において、所定のファン回転数Ｎｓで燃焼ファン１６を運転し、そのときのファン電流値Ｊｓを測定しておく。この標準標高地における試運転の手順は、実施形態１の図８に示したフロー図及びその説明と同じであるので、詳細は省略する。
【００８８】
なお、この標準標高地における測定時には、バーナ１４も燃焼させて燃焼装置１１を燃焼運転してもよく、あるいはバーナ１４は燃焼させず燃焼ファン１６だけを運転してもよい。また、このときのファン回転数Ｎｓは、燃焼ファン１６の通常の燃焼運転時のファン回転数の範囲内の値であることが望ましい。また、この標準標高地における試運転は、一台一台の燃焼装置１１について行なう必要はなく、１台ないし数台の燃焼装置１１を用いて採取したデータ（ファン回転数Ｎｓ、ファン電流値Ｊｓ）を他の燃焼装置１１のメモリ３４に書き込むようにしてもよい。
【００８９】
ついで、燃焼ファン１６が標準標高地とかなり標高差のある場所に設置された場合には、標準標高地における試運転時のファン回転数Ｎｓと同じファン回転数で燃焼ファン１６を回転させ、そのときのファン電流値Ｊｔを測定する。そして、標準標高地におけるファン電流値Ｊｓと設置場所におけるファン電流値Ｊｔから補正値Ｋｊを求める。図１４はこの設置場所における試運転の手順を示すフロー図である。
【００９０】
図１４に従って設置場所における試運転の手順を説明する。まず、切換スイッチ２７を設定モードに切換えて試運転を開始し、燃焼ファン１６を標準標高地における試運転時と同じファン回転数Ｎｓで回転させる（ステップＳ３１）。ファン回転数検知部２４で測定されている燃焼ファン１６のファン回転数を監視し、ファン回転数が標準標高地における試運転時と同じファン回転数Ｎｓで安定したことを確認することができたら（ステップＳ３２でYESのとき）、ファン電流値検知部２５によってそのときのファン電流値Ｊｔを測定する（ステップＳ３３）。ついで、補正係数演算部３６は、ファン回転数がＮｓのときの標準標高地における試運転時のファン電流値Ｊｓと設置場所における試運転時のファン電流値Ｊｔとから補正係数Ｋｊ＝√（Ｊｔ／Ｊｓ）を求め（ステップＳ３４）、この補正係数Ｋｊ＝√（Ｊｔ／Ｊｓ）をメモリ３４に書込んで記憶する（ステップＳ３５）。ついで、燃焼ファン１６を停止させて（ステップＳ３６）試運転を終了し、切換スイッチ２７を通常モードに戻す。
【００９１】
図１５のフロー図は、上記のようにして求めた補正係数Ｋｊを用いた燃焼装置１１の燃焼運転を表わしている。設置場所において燃焼装置１１の運転を開始し（ステップＳ４１）、ファン電流値演算部４１は、リモコン２８の設定温度や水の流量等に応じて演算されているガス比例弁２３の比例弁電流の値Ｉａを比例弁電流値演算部３１から読み取る（ステップＳ４２）。ついで、ファン電流値演算部４１は、メモリ３４内の標準Ｉ−Ｊ関係を用いて比例弁電流Ｉａに対応したファン電流値Ｊａを決め（ステップＳ４３）、補正係数読出部３７がメモリ３４から補正係数Ｋｊを読み出し（ステップＳ４４）、ファン電流値演算部４１は標準Ｉ−Ｊ関係から決めたファン電流値Ｊａに補正係数Ｋｊを掛けた
Ｊｂ＝Ｋｊ×Ｊａ＝√（Ｊｔ／Ｊｓ）×Ｊａ
を適正なファン電流値Ｊｂとし（ステップＳ４５）、燃焼ファン制御部３５は適正なファン電流値Ｊｂで燃焼ファン１６を駆動するようにファン電流値を制御する（ステップＳ４６）。そして、燃焼装置１１が運転を継続している間（ステップＳ４７でYESの場合）は、ステップＳ４２−Ｓ４６を繰り返すことによって適正なファン電流値Ｊｂで燃焼ファン１６を駆動する。これによって、燃焼装置１１の設置されている場所の標高によらず、燃焼装置１１を適正な空燃比で燃焼させることができ、バーナ１４のリフト現象や火移り不良などを防止することができる。
【００９２】
つぎに、上記のようにしてファン電流値を補正することにより高地など標準標高地以外の場所においても適正な空燃比が得られる理由を説明する。実施形態１の数式６−８で説明したように、標準標高地における大気圧と燃焼ガス量をそれぞれＰ０、Ｗ０、設置場所における大気圧と燃焼ガス量をそれぞれＰ１、Ｗ１とするとき、比例弁電流値が等しいときの燃焼ガス量Ｗ１、Ｗ０の比は、
Ｗ１／Ｗ０＝√（Ｐ０／Ｐ１）
と表わされる（数式６参照）。また、図８及び図１４に示す手順に従ってファン回転数をＮｓに保って標準標高地と設置場所で試運転を行い、標準標高地におけるファン電流値Ｊｓと、設置場所におけるファン電流値Ｊｔを測定したとすれば、
Ｗ１／Ｗ０＝√（Ｊｓ／Ｊｔ）      …（数式１２）
となる（数式８参照）。
【００９３】
こうして、比例弁電流が同じ値であっても、燃焼装置１１の設置場所における燃焼ガス量Ｗ１は、標準標高地における燃焼ガス量Ｗ０の√（Ｊｓ／Ｊｔ）倍となり、標高ｈが高くなるほど燃焼ガス量Ｗ１が大きくなる。
【００９４】
一方、前記数式５によれば、ファン電流値Ｊはガスの比重ｄと空気量（単位時間当たりの給気量）Ｂの積ｄ・Ｂに比例する。
Ｊ∝ｄ・Ｂ      …（数式１３）
ここで、ファン電流値制御方式の場合には、比例弁電流Ｉが同じであれば、標高ｈによらずファン電流値Ｊが一定であるから、空気量Ｂはガス比重ｄ、すなわち大気圧Ｐに反比例する。図５における空気量Ｂは、この値を表わしている。
【００９５】
よって、比例弁電流Ｉに対応してファン電流値Ｊが同じである場合、標準標高地における大気圧と燃焼ファン１６により給気される空気量をそれぞれＰ０、Ｂ０とし、設置場所における大気圧と空気圧をそれぞれＰ１、Ｂ１とすれば、
Ｂ１／Ｂ０＝Ｐ０／Ｐ１      …（数式１４）
となる。ここで、ファン回転数を同じ値Ｎｓに保って試運転を行なったときの標準標高地におけるファン電流値をＪｓ、燃焼装置１１の設置場所におけるファン電流値をＪｔとすれば、
Ｐ１／Ｐ０＝Ｊｔ／Ｊｓ
である（前記数式７）。よって、数式１４の右辺は標準標高地における試運転時のファン電流値Ｊｓと設置場所における試運転時のファン電流値Ｊｔによって表わされ、前記数式１４は次の数式１５のように表わされる。
Ｂ１／Ｂ０＝Ｊｓ／Ｊｔ      …（数式１５）
【００９６】
従って、数式１２と数式１５を比較することにより、燃焼装置１１の設置場所における空気量Ｂ１が√（Ｊｔ／Ｊｓ〕倍となるように補正すれば、設置場所の標高においても標準標高地と同じように適正な空燃比となるようにできることが分かる。
【００９７】
同じ標高であれば、燃焼ファン１６によって供給される空気量Ｂはファン電流値Ｊに比例する（数式１３参照）ので、空気量Ｂを√（Ｊｔ／Ｊｓ）倍にするためには、補正係数
Ｋｊ＝√（Ｊｔ／Ｊｓ）      …（数式１６）
を用いて、ステップＳ４５のように標準Ｉ−Ｊ関係によって決まるファン電流値Ｊａを
Ｊｂ＝Ｋｊ×Ｊａ＝√（Ｊｔ／Ｊｓ）×Ｊａ      …（数式１７）
と補正し、燃焼装置１１の燃焼ファン１６をファン電流値がＪｂとなるように制御すればよい。なお、このファン電流値制御方式の場合の補正係数Ｋｊと、ファン回転数制御方式の場合の補正係数Ｋｎとの間には、
Ｋｊ×Ｋｎ＝１
の関係がある。
【００９８】
このように燃焼装置１１を設置場所に設置した後は、ファン電流値をＪｂ＝Ｋｊ×Ｊａとなるように制御すれば、設置場所に設置後の空燃比が標準標高地における空燃比と等しくなり、任意の標高の設置場所において適正な空燃比に保たれることになる。
【００９９】
つぎに具体的な数字で適正な空燃比が得られることを示す。図１６は、標高０ｍ、１０００ｍ、１５００ｍ、２０００ｍの場所における大気圧Ｐ、ガス比重ｄ、燃焼ガス量Ｗ、バーナの発熱量を表わしている。これらの欄の数値は、図５で示した大気圧Ｐ、ガス比重ｄ、燃焼ガス量Ｗ、バーナの発熱量の各値と同じものである。また、図１６には、実施形態２によるファン電流値制御方式の燃焼装置１１を標高０ｍ、１０００ｍ、１５００ｍ、２０００ｍの場所に設置した場合における、補正係数Ｋｊ、燃焼ファン１６の補正後のファン電流値Ｊｂ、空気量Ｂ、燃焼性を求めた結果を表わしている。補正係数Ｋｊは、
Ｋｊ＝√（Ｊｔ／Ｊｓ）＝√（Ｐ１／Ｐ０）
から求めたものであり、標高０ｍのときの値を１としている。補正後のファン電流値Ｊｂは、Ｊｂ＝Ｋｊ×Ｊａ（Ｊａは一定）から求めたものであり、標高０ｍのときの値を１００％としている。空気量Ｂは、
Ｂ＝√（Ｊｓ／Ｊｔ）×Ｂ０
より求めたものであり、標高０ｍのときの値Ｂ０を１００％としている。燃焼性は、燃焼ガス量Ｗ／空気量Ｂであって、標高０ｍのときの値を１００％としている。但し、図１６に示した数値はいずれも大気温度Ｔo＝１５℃とし、比例弁電流の値Ｉａも一定に保った場合の値である。
【０１００】
図１６によれば、いずれの標高においても燃焼性が１００％となっており、いずれの標高の場所においても適正な空燃比で燃焼装置１１が燃焼していることが分かる。
【０１０１】
なお、実施形態２では、ステップＳ３４、Ｓ３５で補正係数Ｋｊを演算及び記憶しておき、ステップＳ４５、Ｓ４６で補正係数Ｋｊを用いて初期設定ファン電流値Ｊａを補正し、補正後のファン電流値Ｊｂで燃焼ファン１６を制御するようにしたが、これと異なる手順の変形例も可能である。例えば、比例弁電流Ｉａとファン電流値Ｊａとの関係を補正係数Ｋｊで補正したもの、つまり比例弁電流Ｉａと補正後のファン電流値Ｊｂ（＝Ｋｊ×Ｊａ）との関係をメモリ３４に記憶させておき、この比例弁電流Ｉａと補正後のファン電流値回転数Ｊｂとの関係をメモリ３４から読み出して燃焼ファン１６をファン電流値制御するようにしてもよい。
【０１０２】
（実施形態３）
実施形態１、２では、適正な空燃比が得られるよう、燃焼ファン１６による給気する空気量Ｂを燃焼ガス量Ｗの変化に合わせて補正したが、これとは逆に、燃焼ガス量Ｗを燃焼ファン１６により給気される空気量Ｂに合わせてもよい。
【０１０３】
図１７は、適正な空燃比が得られるように燃焼ガス量Ｗを補正するようにした、ファン回転数制御方式の燃焼装置１１のコントローラ２６の構成を表わした機能ブロック図である。なお、実施形態３の燃焼装置１１の構造は、図６に示した実施形態１の燃焼装置１１と同じであるので、実施形態３の燃焼装置１１の構造は図示とその説明を省略する。
【０１０４】
図１７のコントローラ２６の機能は、補正の方法を除けば、図７に示した実施形態１のコントローラ２６とほぼ同じである。図１７のコントローラ２６でも、標準標高地において図８に示した手順の試運転を行なってファン回転数がＮｓのときのファン電流値Ｊｓを測定する。ついで、燃焼装置１１の設置場所において図９に示した手順の試運転を行なってファン回転数がＮｓのときのファン電流値Ｊｔを測定し、補正係数演算部３６において補正係数Ｋｎ＝√（Ｊｓ／Ｊｔ）を演算し、演算により求めた補正係数Ｋｎをメモリ３４に記憶する。そして、燃焼装置１１の燃焼運転時には、メモリ３４に記憶している補正係数Ｋｎを用い、比例弁電流値演算部３１によりガス比例弁２３の比例弁電流を補正し、任意の標高において適正な空燃比となるように調整する。
【０１０５】
図１８は実施形態３の燃焼装置１１の設置後の燃焼運転の手順を表わしたフロー図である。燃焼装置１１の燃焼運転を開始すると（ステップＳ５１）、比例弁電流値演算部３１は、リモコン２８の設定温度や水の流量等に応じてガス比例弁２３の比例弁電流Ｉａを演算する（ステップＳ５２）。ついで、ファン回転数演算部３３は、メモリ３４に記憶している標準Ｉ−Ｎ関係に基づいて比例弁電流Ｉａに対応するファン回転数Ｎａを決める（ステップＳ５３）。ファン回転数の補正は行なわれず、燃焼ファン制御部３５は、ファン回転数Ｎａの値を用いて燃焼ファン１６を制御する。
【０１０６】
一方、比例弁電流値演算部３１は、メモリ３４から補正係数Ｋｎを読み出し（ステップＳ５４）、適正な空燃比が得られるように比例弁電流を演算値Ｉａの１／Ｋｎ倍（＝Ｋｊ倍）に補正し（ステップＳ５５）、ガス比例弁制御部３２は比例弁電流が補正値Ｉｂ＝Ｉａ／Ｋｎとなるようにガス比例弁２３を制御する（ステップＳ５６）。そして、燃焼装置１１が運転を継続している間（ステップＳ５７でYESの場合）は、ステップＳ５２−Ｓ５６を繰り返すことによって適正な空燃比で燃焼運転を行なう。
【０１０７】
ステップＳ５５における比例弁電流の補正の根拠は、つぎの通りである。比例弁電流値を一定に保ったとき、標準標高地における燃焼ガス量Ｗ０に対する設置場所における燃焼ガス量Ｗ１の比は、図８及び図９に示す試運転を行なって測定した標準標高地でのファン電流値Ｊｓと設置場所でのファン電流値Ｊｔを用いて、
Ｗ１／Ｗ０＝√（Ｊｓ／Ｊｔ）
と表わされる（数式８参照）。これは補正係数Ｋｎ＝√（Ｊｓ／Ｊｔ）を用いて、
Ｗ１／Ｗ０＝Ｋｎ
と表わすことができる。
【０１０８】
一方、ファン回転数制御方式では、標準標高地でも設置場所でもファン回転数Ｎａは変化がないから、空気量Ｂも変化しない。
【０１０９】
よって、設置場所においても、空気量Ｂと燃焼ガス量Ｗとが適正な空燃比となるように燃焼ガス量Ｗを調整するには、設置場所での燃焼ガス量Ｗ１が１／Ｋｎ倍となるように補正すればよい。設置場所での燃焼ガス量Ｗ１を１／Ｋｎ倍にするには、ステップＳ５５のように比例弁電流を演算値Ｉａの１／Ｋｎ倍に補正すればよい。また、燃焼ガス量を１／Ｋｎ倍とするには、燃焼装置１１を設置する際に、バーナ１４の設定２次圧が標準標高地における設定２次圧の（１／Ｋｎ）２倍となるように調整してもよい。この結果、燃焼装置１１は、設置されている場所の標高によらず、燃焼装置１１を適正な空燃比で燃焼させることができる。
【０１１０】
なお、ファン電流値制御方式の場合については図示していないが、ファン電流値制御方式の場合には、図１７中のファン回転数演算部３３をファン電流値演算部４１に置き換えればよい。また、図１８のフロー図におけるステップＳ５３では、ファン電流値Ｊａを求め、ステップＳ５４では補正係数Ｋｊ＝√（Ｊｔ／Ｊｓ）をメモリ３４から読み出す。
【０１１１】
さらに、ステップＳ５５では、比例弁電流を演算値Ｉａの１／Ｋｊ倍となるように補正する。この理由は、つぎの通りである。前記数式８から分かるように、設置場所と標準標高地の燃焼ガス量の比は、
Ｗ１／Ｗ０＝Ｋｎ
となるが、前記数式１５から分かるように、設置場所と標準標高地の空気量の比は、
Ｂ１／Ｂ０＝Ｋｎ２
となる。よって、設置場所において適正な空燃比となるようにするためには、設置場所での燃焼ガス量Ｗ１がＫｎ倍、すなわち１／Ｋｊ倍となるように補正すればよい。設置場所での燃焼ガス量Ｗ１を１／Ｋｊ倍にするには、比例弁電流を演算値Ｉａの１／Ｋｊ倍に補正すればよい。また、燃焼ガス量を１／Ｋｊ倍とするには、燃焼装置１１を設置する際に、バーナ１４の設定２次圧が標準標高地における設定２次圧の（１／Ｋｊ）２倍となるように調整してもよい。
【０１１２】
（実施形態４）
実施形態１−３で説明した燃焼装置１１では、ファン回転数をＮｓとして燃焼ファン１６を駆動し、そのときの標準標高地におけるファン電流値Ｊｓと設置場所におけるファン電流値Ｊｔとから補正係数を求めた。これとは逆に、ファン電流値をＪｓとして燃焼ファン１６を駆動し、そのときの標準標高地におけるファン回転数Ｎｓと設置場所におけるファン回転数Ｎｔとから補正係数を求めることもできる。
【０１１３】
実施形態４は、標準標高地におけるファン回転数Ｎｓと設置場所におけるファン回転数Ｎｔから補正係数Ｋｎ´を求めるようにした、ファン回転数制御方式の燃焼装置１１である。実施形態４の燃焼装置１１の構造は、図６に示された実施形態１の燃焼装置１１と同じであり、実施形態４のコントローラ２６の構造も、図７に示された実施形態１のコントローラ２６と同じであるので、実施形態４の燃焼装置１１及びコントローラ２６の図示とその説明は省略する。
【０１１４】
図１９及び図２０は、実施形態４の燃焼装置１１で用いる補正係数Ｋｎ´を求めるための標準標高地における試運転と設置場所における試運転の手順を表わし、図２１は設置場所における燃焼運転の手順を表わしている。
【０１１５】
図１９に従って標準標高地における試運転を説明する。切換スイッチ２７を設定モードに切換えて試運転を開始し、燃焼ファン１６を所定のファン電流値Ｊｓとなるように回転させ（ステップＳ６１）、燃焼ファン１６の回転が安定するまで所定時間の待機する（ステップＳ６２）。所定時間が経過したらファン電流値検知部２５はファン電流値を測定し、ファン電流値が所定電流値Ｊｓとなっていることを確認し（ステップＳ６３）、ファン回転数検知部２４はそのときのファン回転数Ｎｓを測定する（ステップＳ６４）。そして、測定したファン電流値Ｊｓとファン回転数Ｎｓをメモリ３４に書込んで記憶する（ステップＳ６５）。ついで、燃焼ファン１６を停止させて（ステップＳ６６）試運転を終了し、切換スイッチ２７を通常モードに戻す。
【０１１６】
次に、燃焼装置１１がある標高の場所に設置された場合には、図２０に従って設置場所における試運転が行なわれる。まず、切換スイッチ２７を設定モードに切換えて試運転を開始し、燃焼ファン１６を標準標高地における試運転時と同じファン電流値Ｊｓで回転させる（ステップＳ７１）。ファン回転数検知部２４で測定されている燃焼ファン１６のファン電流値が標準標高地における試運転時と同じファン電流値Ｊｓで安定したことを確認できたら（ステップＳ７２でYESのとき）、ファン電流値検知部２５はそのときのファン回転数Ｎｔを測定する（ステップＳ７３）。ついで、補正係数演算部３６はファン電流値がＪｓのときの標準標高地における試運転時のファン回転数Ｎｓと設置場所における試運転時のファン回転数Ｎｔとから補正係数Ｋｎ´＝√（Ｎｔ／Ｎｓ）を求め（ステップＳ７４）、この補正係数Ｋｎ´＝√（Ｎｔ／Ｎｓ）をメモリ３４に書込んで記憶する（ステップＳ７５）。ついで、燃焼ファン１６を停止させて（ステップＳ７６）試運転を終了し、切換スイッチ２７を通常モードに戻す。
【０１１７】
図２１のフロー図は、上記のようにして求めた補正係数Ｋｎ´を用いた燃焼装置１１の燃焼運転を表わしている。設置場所において燃焼装置１１の運転を開始し（ステップＳ８１）、リモコン２８の設定温度や水の流量等に応じて制御されているガス比例弁２３の比例弁電流の値Ｉａを比例弁電流値演算部３１から読み取る（ステップＳ８２）。ついで、ファン回転数演算部３３は、メモリ３４内の標準Ｉ−Ｎ関係を用いて比例弁電流Ｉａに対応したファン回転数Ｎａを決め（ステップＳ８３）、補正係数読出部３７はメモリ３４から補正係数Ｋｎ´を読み出し（ステップＳ８４）、ファン回転数演算部３３は標準Ｉ−Ｎ関係から決めたファン回転数Ｎａに補正係数Ｋｎ´を掛けた
Ｎｂ＝Ｋｎ´×Ｎａ＝√（Ｎｔ／Ｎｓ）×Ｎａ
を適正なファン回転数Ｎｂとし（ステップＳ８５）、燃焼ファン制御部３５は適正なファン回転数Ｎｂで回転するように燃焼ファン１６を制御する（ステップＳ８６）。そして、燃焼装置１１が運転を継続している間（ステップＳ８７でYESの場合）は、ステップＳ８２−Ｓ８６を繰り返すことによって適正なファン回転数Ｎｂで燃焼ファン１６を運転する。これによって、燃焼装置１１の設置されている場所の標高によらず、燃焼装置１１を適正な空燃比で燃焼させることができる。
【０１１８】
上記のようにしてファン回転数を補正することにより高地など標準標高地以外の場所においても適正な空燃比が得られる理由を説明する。前記数式５によれば、（電圧Ｅを一定として）ファン電流値Ｊは燃料ガスの比重ｄと空気量Ｂの積に比例する。ここで、燃料ガスの比重ｄは大気圧Ｐに比例し、空気量Ｂはファン回転数Ｎで決まる。よって、ファン電流値Ｊが一定であればファン回転数Ｎは大気圧Ｐに反比例することになるので、図１９及び図２０の試運転時においてファン電流値を同じ値Ｊｓに保っているとき、標準標高地（大気圧Ｐ０）における試運転時のファン回転数をＮｓ、燃焼装置１１の設置場所（大気圧Ｐ１）における試運転時のファン回転数をＮｔとすれば、
Ｎｔ／Ｎｓ＝Ｐ０／Ｐ１      …（数式１８）
となる。
【０１１９】
標準標高地（大気圧Ｐ０）における燃焼ガス量をＷ０、設置場所（大気圧Ｐ１）における燃焼ガス量をＷ１とすれば、ガス比例弁２３の比例弁電流が同じ値Ｉａであるとき、
Ｗ１／Ｗ０＝√（Ｐ０／Ｐ１）
であるから、上記数式１８を用いれば、
Ｗ１／Ｗ０＝√（Ｎｔ／Ｎｓ）      …（数式１９）
と表わされる。
【０１２０】
一方、ファン回転数制御方式では、標高によってファン回転数が変わらないので、標準標高地における空気量Ｂ０と設置場所における空気量Ｂ１は等しい。よって、設置場所の標高においても適正な空燃比で燃焼するためには、設置場所の空気量Ｂ１が√（Ｎｔ／Ｎｓ）倍となるように補正すればよい。
【０１２１】
ファン回転数制御方式の場合には、設置場所における空気量Ｂ１が√（Ｎｔ／Ｎｓ）倍となるようにするためには、標準Ｉ−Ｎ関係から比例弁電流Ｉａに対応して決まるファン回転数Ｎａを√（Ｎｔ／Ｎｓ）倍にすればよい。よって、ステップＳ７４において補正係数Ｋｎ´を
Ｋｎ´＝√（Ｎｔ／Ｎｓ）
とし、ステップＳ７５において補正係数Ｋｎ´をメモリ３４に記憶しておき、設置場所での燃焼運転時に比例弁電流Ｉａに対応して決まるファン回転数ＮａをステップＳ８５において
Ｎｂ＝Ｋｎ´×Ｎａ＝√（Ｎｔ／Ｎｓ）×Ｎａ
と補正し、ファン回転数がＮｂとなるように燃焼ファン１６を制御すれば、空気量が√（Ｎｔ／Ｎｓ）倍となり、任意の標高の設置場所において適正な空燃比で燃焼運転することができるのである。
【０１２２】
（実施形態５）
実施形態５は、標準標高地におけるファン回転数Ｎｓと設置場所におけるファン回転数Ｎｔから補正係数Ｋｊ´を求めるようにした、ファン電流値制御方式の燃焼装置１１である。実施形態５の燃焼装置１１の構造は、図６に示された実施形態１の燃焼装置１１と同じであり、実施形態５のコントローラ２６の構造は、図１３に示された実施形態２のコントローラ２６と同じであるので、実施形態５の燃焼装置１１とコントローラ２６の図示とその説明は省略する。
【０１２３】
つぎに、実施形態５におけるファン電流値Ｊの補正方法とその原理を説明する。最初に、標準標高地（たとえば、平地にある工場内や試験場所など）において、所定のファン電流値Ｊｓで燃焼ファン１６を運転し、そのときのファン回転数Ｎｓを測定しておく。この標準標高地における試運転の手順は、実施形態４の図１９に示したフロー図及びその説明と同じであるので、詳細は省略する。
【０１２４】
つぎに、燃焼ファン１６が標準標高地と異なる場所に設置された後の試運転の手順を、図２２に従って説明する。まず、燃焼装置１１の試運転を開始して燃焼ファン１６を回転させる（ステップＳ９１）。ファン電流値検知部２５で測定されている燃焼ファン１６のファン電流値が標準標高地における試運転時と同じファン電流値Ｊｓで安定したら（ステップＳ９２でYESのとき）、ファン回転数検知部２４によってファン回転数Ｎｔを測定する（ステップＳ９３）。ついで、補正係数演算部３６は、ファン電流値がＪｓのときの標準標高地における試運転時のファン回転数Ｎｓと設置場所における試運転時のファン回転数Ｎｔとから補正係数Ｋｊ´＝√（Ｎｓ／Ｎｔ）を求め（ステップＳ９４）、この補正係数Ｋｊ´をメモリ３４に書き込んで記憶し（ステップＳ９５）、燃焼ファン１６を停止させる（ステップＳ９６）。
【０１２５】
図２３のフロー図は、上記のようにして求めた補正係数Ｋｊ´を用いた燃焼装置１１の燃焼運転を表わしている。設置場所において燃焼装置１１の運転を開始し（ステップＳ１０１）、ファン電流値演算部４１は、ガス比例弁２３の比例弁電流の値Ｉａを比例弁電流値演算部３１から読み取る（ステップＳ１０２）。ついで、ファン電流値演算部４１は、メモリ３４内の標準Ｉ−Ｊ関係を用いて比例弁電流Ｉａに対応したファン電流値Ｊａを決め（ステップＳ１０３）、補正係数読出部３７がメモリ３４から補正係数Ｋｊ´を読み出し（ステップＳ１０４）、ファン電流値演算部４１は標準Ｉ−Ｊ関係から決めたファン電流値Ｊａに補正係数Ｋｊ´を掛けた
Ｊｂ＝Ｋｊ´×Ｊａ＝√（Ｎｓ／Ｎｔ）×Ｊａ
を適正なファン電流値Ｊｂとし（ステップＳ１０５）、燃焼ファン制御部３５は適正なファン電流値Ｊｂで燃焼ファン１６を駆動するようにファン電流値を制御する（ステップＳ１０６）。そして、燃焼装置１１が運転を継続している間（ステップＳ１０７でYESの場合）は、ステップＳ１０２−Ｓ１０６を繰り返すことによって適正なファン電流値Ｊｂで燃焼ファン１６を駆動する。これによって、燃焼装置１１の設置されている場所の標高によらず、燃焼装置１１を適正な空燃比で燃焼させることができ、バーナ１４のリフト現象や火移り不良などを防止することができる。
【０１２６】
上記のようにしてファン電流値を補正することにより高地など標準標高地以外の場所においても適正な空燃比が得られる理由を説明する。実施形態４で説明したように、図１９及び図２２の試運転時においてファン電流値を同じ値Ｊｓに保っているとき、標準標高地における試運転時のファン回転数をＮｓ、燃焼装置１１の設置場所における試運転時のファン回転数をＮｔとすれば、標準標高地における燃焼ガス量Ｗ０に対する設置場所における燃焼ガス量Ｗ１の比は、前記数式１９のように、
Ｗ１／Ｗ０＝√（Ｎｔ／Ｎｓ）      …（数式１９）
と表わされる。
【０１２７】
一方、ファン電流値制御方式の場合には、標高によってファン電流値が変わらないので、標準標高地（大気圧Ｐ０）における空気量Ｂ０と設置場所（大気圧Ｐ１）における空気量Ｂ１との比は、
Ｂ１／Ｂ０＝Ｐ０／Ｐ１
となる（数式１４参照）。また、前記数式１８によって、この式の右辺を書き換えると、
Ｂ１／Ｂ０＝Ｎｔ／Ｎｓ      …（数式２０）
となる。よって、設置場所の標高においても適正な空燃比で燃焼運転するためには、設置場所の空気量Ｂ１が√（Ｎｓ／Ｎｔ）倍となるように補正すればよい。
【０１２８】
ファン電流値制御方式の場合には、設置場所における空気量Ｂ１が√（Ｎｓ／Ｎｔ）倍となるようにするためには、標準Ｉ−Ｊ関係から比例弁電流Ｉａに対応して決まるファン電流値Ｊａを√（Ｎｓ／Ｎｔ）倍にすればよい。よって、ステップＳ９４において補正係数Ｋｊ´を
Ｋｊ´＝√（Ｎｓ／Ｎｔ）
とし、ステップＳ９５において補正係数Ｋｊ´をメモリ３４に記憶しておき、設置場所での燃焼運転時に比例弁電流Ｉａに対応して決まるファン電流値ＪａをステップＳ１０５において
Ｊｂ＝Ｋｊ´×Ｊａ＝√（Ｎｓ／Ｎｔ）×Ｊａ
と補正し、ファン電流値がＪｂとなるように燃焼ファン１６を制御すれば、空気量が√（Ｎｓ／Ｎｔ）倍となり、任意の標高の設置場所において適正な空燃比で燃焼運転することができるのである。
【０１２９】
（実施形態６）
実施形態６の燃焼装置１１は、実施形態４において説明した図１９及び図２０の試運転を行なってファン電流値がＪｓのときの標準標高地におけるファン回転数Ｎｓと設置場所におけるファン回転数Ｎｔを測定し、それに基づいて補正係数Ｋｎ´を求め、設置場所における燃焼ガス量Ｗの増加割合が空気量Ｂの増加割合と等しくなるように、燃焼ガス量Ｗを補正するようにしたものである。
【０１３０】
実施形態６の燃焼装置１１の構造は、図６に示した実施形態１の燃焼装置１１と同じであり、実施形態６のコントローラ２６の構成は、図１７に示した実施形態３のコントローラ２６と同じであるので、いずれも図示とその説明を省略する。
【０１３１】
図２４は、ファン回転数制御方式の実施形態６による燃焼装置１１において、補正係数Ｋｎ´を用いて標高に応じて燃焼ガス量Ｗ（比例弁電流Ｊ）を補正し、それによって任意の標高において適正な空燃比で燃焼運転を行なう手順を示すフロー図である。このステップＳ１１１−Ｓ１１７は、ステップＳ１１４において補正係数Ｋｎでなく補正係数Ｋｎ´を用いている点を除けば、図１８のステップＳ５１−Ｓ５７とほぼ同様である。すなわち、ステップＳ１１５においては、比例弁電流ＩａをＩｂ＝Ｉａ／Ｋｎ´となるように補正し、ガス比例弁２３を比例弁電流Ｉｂで制御する。
【０１３２】
実施形態３の説明からも明らかなように、実施形態６の燃焼装置１１にあっても、燃焼運転時に図２４のようにして燃焼運転を実行することにより、燃焼装置１１は、設置されている場所の標高によらず、適正な空燃比で燃焼させられる。
【０１３３】
なお、燃焼ガス量を１／Ｋｎ´倍にするには、燃焼装置１１を設置する際に、バーナ１４の設定２次圧が標準標高地における設定２次圧の（１／Ｋｎ´）２倍となるように調整してもよい。なお、この実施形態は、ファン電流値制御方式の燃焼装置１１に適用することも可能である。
【０１３４】
（実施形態７）
これまで説明した実施形態１−３では、いずれも補正係数は試運転時のファン回転数Ｎｓによらず一定値であると考え、また、実施形態４−６では、いずれも補正係数は試運転時のファン電流値Ｊｓによらず一定値であると考えた。しかし、実際には、補正係数が試運転時のファン回転数Ｎｓやファン電流値Ｊｓによって変化する場合も起こり得る。補正係数がファン回転数Ｎｓやファン電流値Ｊｓによって変化する場合には、実施形態１−６のような方法では、精度が低下する恐れがある。
【０１３５】
実施形態７は、補正係数Ｋｎが試運転時のファン回転数Ｎｓによって変化することを考慮した、ファン回転数制御方式の燃焼装置１１である。すなわち、実施形態７は実施形態１をより高性能化したものである。実施形態７による燃焼装置１１の構造は、図６に示した実施形態１の燃焼装置１１と同じであり、コントローラ２６の構成は図７に示した実施形態１のコントローラ２６と同じであるので、いずれも図示及びその説明を省略する。
【０１３６】
つぎに、実施形態７におけるファン回転数の補正方法とその原理を説明する。実施形態７においては、標準標高地にて、順次ファン回転数Ｎｓを変化させながら燃焼ファン１６を運転し、ファン回転数Ｎｓの各値に対するファン電流値Ｊｓを測定しておく。図２５はこの標準標高地における試運転の手順を示すフロー図である。
【０１３７】
図２５に従って標準標高地における試運転の手順を説明する。まず、切換スイッチ２７を設定モードに切換えて試運転を開始し、燃焼ファン１６をあるファン回転数Ｎｓで回転させ（ステップＳ１２１）、所定時間が経過して燃焼ファン１６が安定したら（ステップＳ１２２）、ファン回転数検知部２４はファン回転数Ｎｓを測定し（ステップＳ１２３）、ファン電流値検知部２５はそのときのファン電流値Ｊｓを測定する（ステップＳ１２４）。ついで、そのファン回転数Ｎｓとファン電流値Ｊｓをメモリ３４に書込んで記憶し（ステップＳ１２５）、ファン回転数Ｎｓを所定量Δだけ増加させる（ステップＳ１２７）。
【０１３８】
そして、所定量Δだけ増加させたファン回転数Ｎｓで燃焼ファン１６を回転させ、再びステップＳ１２２−Ｓ１２５を繰り返してファン回転数Ｎｓとファン電流値Ｊｓを測定し、ファン回転数Ｎｓとファン電流値Ｊｓを記憶した後、ファン回転数Ｎｓを所定量Δだけ増加させる。こうしてファン回転数Ｎｓを所定の範囲でΔずつ変化させてステップＳ１２２−Ｓ１２７を繰り返すことにより、メモリ３４には標準標高地における試運転時のファン電流値Ｊｓ（Ｎｓ）がファン回転数Ｎｓの関数として記憶される。ついで、燃焼ファン１６の試運転が終了（ステップＳ１２６でYESの場合）であれば燃焼ファン１６を停止させ（ステップＳ１２８）、切換スイッチ２７を通常モードに戻す。
【０１３９】
なお、この標準標高地における試運転は、一台一台の燃焼装置１１について行なう必要はなく、１台ないし数台の燃焼装置１１を用いて採取したデータ（ファン回転数Ｎｓ、ファン電流値Ｊｓ）を他の燃焼装置１１のメモリ３４に書き込むようにしてもよい。
【０１４０】
ついで、燃焼ファン１６を標準標高地と異なる標高の地に設置したとき、標準標高地における試運転時のファン回転数Ｎｓと同じ範囲でファン回転数Ｎｓを変化させ、各ファン回転数Ｎｓのときのファン電流値Ｊｔを測定する。そして、標準標高地におけるファン電流値Ｊｓ（Ｎｓ）と設置場所におけるファン電流値Ｊｔ（Ｎｓ）から補正値Ｋｎ（Ｎｓ）を求める。図２６はこの設置場所における試運転の手順を示すフロー図である。
【０１４１】
図２６に従って設置場所における試運転の手順を説明する。まず、切換スイッチ２７を設定モードに切換えて試運転を開始し、燃焼ファン１６を回転させる（ステップＳ１３１）。燃焼ファン１６が回転数Ｎｓで安定したら（ステップＳ１３２）、ファン電流値検知部２５がファン電流値Ｊｔを測定する（ステップＳ１３３）。ついで、補正係数演算部３６はファン回転数がＮｓのときの標準標高地における試運転時のファン電流値Ｊｓ（Ｎｓ）と設置場所における試運転時のファン電流値Ｊｔ（Ｎｓ）とから補正係数Ｋｎ（Ｎｓ）＝√〔Ｊｓ（Ｎｓ）／Ｊｔ（Ｎｓ）〕を求める（ステップＳ１３４）。ついで、ファン回転数Ｎｓを所定量Δだけ増加させる（ステップＳ１３６）。
【０１４２】
そして、所定量Δだけ増加させたファン回転数Ｎｓで燃焼ファン１６を回転させ、再びステップＳ１３２−Ｓ１３４を繰り返してファン回転数Ｎｓとファン電流値Ｊｓを測定し、補正係数Ｋｎ（Ｎｓ）を演算した後、ファン回転数Ｎｓを所定量Δだけ増加させる。こうしてファン回転数Ｎｓを所定の範囲で変化させてステップＳ１３２−Ｓ１３６を繰り返すことにより、メモリ３４にはファン回転数Ｎの関数として補正係数Ｋｎ（Ｎ）が記憶される（ステップＳ１３７）。ついで、燃焼ファン１６を停止させて（ステップＳ１３８）試運転を終了し、切換スイッチ２７を通常モードに戻す。
【０１４３】
図２７のフロー図は、上記のようにして求めた補正係数Ｋｎ（Ｎ）を用いた燃焼装置１１の燃焼運転を表わしている。設置場所において燃焼装置１１の運転を開始したときには（ステップＳ１４１）、リモコン２８の設定温度や水の流量等に応じて制御されているガス比例弁２３の比例弁電流の値Ｉａを比例弁電流値演算部３１から読み取る（ステップＳ１４２）。ついで、ファン回転数演算部３３は、メモリ３４内の標準Ｉ−Ｎ関係を用いて比例弁電流Ｉａに対応したファン回転数Ｎａを演算し（ステップＳ１４３）、補正係数読出部３７はメモリ３４からファン回転数がＮａのときの補正係数Ｋｎ（Ｎａ）を読み出し（ステップＳ１４４）、ファン回転数演算部３３は標準Ｉ−Ｎ関係から決めたファン回転数Ｎａに補正係数Ｋｎ（Ｎａ）を掛けた
Ｎｂ＝Ｋｎ（Ｎａ）×Ｎａ＝√〔Ｊｓ（Ｎａ）／Ｊｔ（Ｎａ）〕×Ｎａ
を適正なファン回転数Ｎｂとし（ステップＳ１４５）、燃焼ファン制御部３５は適正なファン回転数Ｎｂで燃焼ファン１６が回転するように燃焼ファン１６を制御する（ステップＳ１４６）。そして、燃焼装置１１が運転を継続している間（ステップＳ１４７でYESの場合）は、ステップＳ１４２−Ｓ１４６を繰り返すことによって適正なファン回転数Ｎｂで燃焼ファン１６を運転する。これによって、燃焼装置１１の設置されている場所の標高によらず、燃焼装置１１を適正な空燃比で燃焼させることができる。
【０１４４】
実施形態７によれば、燃焼運転中のファン回転数Ｎａに応じた補正係数Ｋｎ（Ｎａ）を用いているので、補正係数がファン回転数によって変化する場合でも、より一層精度よくファン回転数を補正することができ、適正な空燃比で燃焼運転が行なわれるように、より高度に燃焼装置１１を制御することができる。
【０１４５】
（実施形態８）
実施形態８は、補正係数Ｋｎが試運転時のファン回転数Ｎｓによって変化することを考慮した、ファン電流値制御方式の燃焼装置１１である。すなわち、実施形態８は、実施形態２をより高性能化したものである。実施形態８による燃焼装置１１の構造は、図６に示した実施形態１の燃焼装置１１と同じであり、コントローラ２６の構成は図１３に示した実施形態２のコントローラ２６と同じであるので、いずれも図示とその説明を省略する。
【０１４６】
つぎに、実施形態８におけるファン電流値の補正方法とその原理を説明する。実施形態８においては、標準標高地にて、順次ファン回転数Ｎｓを変化させながら燃焼ファン１６を運転し、ファン電流値Ｊｓの各値に対するファン回転数Ｎｓを測定しておく。図２８はこの標準標高地における試運転の手順を示すフロー図である。
【０１４７】
図２８に従って標準標高地における試運転の手順を説明する。まず、燃焼ファン１６の標準標高地での試運転を開始し、燃焼ファン１６をあるファン回転数Ｎｓで回転させ（ステップＳ１５１）、所定時間が経過して燃焼ファン１６が安定したら（ステップＳ１５２）、ファン回転数検知部２４はファン回転数Ｎｓを測定し（ステップＳ１５３）、ファン電流値検知部２５はそのときのファン電流値Ｊｓを測定する（ステップＳ１５４）。ついで、そのファン回転数Ｎｓとファン電流値Ｊｓをメモリ３４に書込んで記憶し（ステップＳ１５５）、ファン回転数Ｎｓを所定量Δだけ増加させる（ステップＳ１５７）。
【０１４８】
そして、所定量Δだけ増加させたファン回転数Ｎｓで燃焼ファン１６を回転させ、再びステップＳ１５２−Ｓ１５５を繰り返してファン回転数Ｎｓとファン電流値Ｊｓを測定し、ファン回転数Ｎｓとファン電流値Ｊｓを記憶した後、ファン回転数Ｎｓを所定量Δだけ増加させる。こうしてファン回転数Ｎｓを所定の範囲でΔずつ変化させてステップＳ１５２−Ｓ１５７を繰り返すことにより、メモリ３４には標準標高地における試運転時のファン回転数Ｎｓ（Ｊｓ）をファン電流値Ｊｓの関数として記憶する。ついで、燃焼ファン１６の試運転が終了（ステップＳ１５６でYESの場合）であれば燃焼ファン１６を停止させ（ステップＳ１５８）、切換スイッチ２７を通常モードに戻す。
【０１４９】
ついで、燃焼ファン１６を標準標高地と異なる標高の地に設置したとき、標準標高地における試運転時のファン回転数Ｎｓと同じ範囲でファン回転数Ｎｓを変化させ、各ファン回転数Ｎｓのときのファン電流値Ｊｔを測定する。そして、標準標高地におけるファン電流値とファン回転数との関係Ｎｓ（Ｊｓ）と設置場所におけるファン電流値Ｊｔ（Ｎｓ）から補正値Ｋｊ（Ｊｓ）を求める。図２９はこの設置場所における試運転の手順を示すフロー図である。
【０１５０】
図２９に従って設置場所における試運転の手順を説明する。燃焼装置１１の設置場所での試運転を開始し、燃焼ファン１６をあるファン回転数Ｎｓで回転させる（ステップＳ１６１）。燃焼ファン１６の回転がファン回転数Ｎｓで安定したら（ステップＳ１６２）、ファン電流値検知部２５がファン電流値Ｊｔを測定する（ステップＳ１６３）。ついで、補正係数演算部３６は標準標高地における試運転時のファン電流値Ｊｓとファン回転数Ｎｓとの関係Ｎｓ（Ｊｓ）と、設置場所における試運転時のファン回転数Ｎｓとファン電流値Ｊｔとの関係Ｊｔ（Ｎｓ）から補正係数Ｋｊ（Ｊｓ）を求める（ステップＳ１６４）。ついで、ファン回転数Ｎｓを所定量Δだけ増加させる（ステップＳ１６６）。
【０１５１】
ステップＳ１６４において補正係数Ｋｊ（Ｊｓ）は次のようにして求められる。標準標高地における試運転時のファン電流値Ｊｓとファン回転数Ｎｓとの関係をＪｓ（Ｎｓ）とすれば、補正係数Ｋｊ（Ｎｓ）は、
Ｋｊ（Ｎｓ）＝√〔Ｊｔ（Ｎｓ）／Ｊｓ（Ｎｓ）〕
である。ここで、Ｊｓ（Ｎｓ）はＮｓ（Ｊｓ）の逆関数であるので、ステップＳ１５５においてメモリ３４に記憶されている関数Ｎｓ（Ｊｓ）を用いれば、この補正関数Ｋｊ（Ｎｓ）は次のようになる。
Ｋｊ〔Ｎｓ（Ｊｓ）〕＝√〔Ｊｔ（Ｎｓ（Ｊｓ））／Ｊｓ〕
＝√〔Ｊｔ（Ｊｓ）／Ｊｓ〕      …（数式２１）
ＪｓとＮｓは１対１に対応し、ＪｔとＮｓも１対１に対応しているので、ＪｔとＪｓもＮｓを介して１対１に対応しており、このＪｔとＪｓの関係を関数として表わしたものが上記Ｊｔ（Ｊｓ）である。上記数式２１の右辺はＪｓの関数であるから、数式２１の左辺をＫｊ（Ｊｓ）と書けば、数式２１は、
Ｋｊ（Ｊｓ）＝√〔Ｊｔ（Ｊｓ）／Ｊｓ〕
となる。
【０１５２】
つぎに、所定量Δだけ増加させたファン回転数Ｎｓで燃焼ファン１６を回転させ、再びステップＳ１６２−Ｓ１６４を繰り返してファン回転数Ｎｓのときのファン電流値Ｊｓを測定し、補正係数Ｋｊ（Ｊｓ）を演算した後、ファン回転数Ｎｓを所定量Δだけ増加させる。こうしてファン回転数Ｎｓを所定の範囲で少しずつ変化させてステップＳ１６２−Ｓ１６６を繰り返すことにより、メモリ３４にはファン電流値Ｊの関数として補正係数Ｋｊ（Ｊ）が記憶される（ステップＳ１６７）。ただし、補正係数Ｋｊ（Ｊ）は、
Ｋｊ（Ｊ）＝√〔Ｊｔ（Ｊ）／Ｊ〕      …（数式２２）
である。ついで、燃焼ファン１６を停止させて（ステップＳ１６８）試運転を終了し、切換スイッチ２７を通常モードに戻す。
【０１５３】
図３０のフロー図は、上記のようにして求めた補正係数Ｋｊ（Ｊ）を用いた燃焼装置１１の燃焼運転を表わしている。設置場所において燃焼装置１１の運転を開始したときには（ステップＳ１７１）、ガス比例弁２３の比例弁電流の値Ｉａを比例弁電流値演算部３１から読み取る（ステップＳ１７２）。ついで、ファン電流値演算部４１は、メモリ３４内の標準Ｉ−Ｊ関係を用いて比例弁電流Ｉａに対応したファン電流値Ｊａを演算し（ステップＳ１７３）、補正係数読出部３７はメモリ３４からファン電流値がＪａのときの補正係数Ｋｊ（Ｊａ）を読み出し（ステップＳ１７４）、ファン電流値演算部４１は標準Ｉ−Ｊ関係から決めたファン電流値Ｊａに補正係数Ｋｊ（Ｊａ）を掛けた
Ｊｂ＝Ｋｊ（Ｊａ）×Ｊａ＝√〔Ｊｔ（Ｊａ）／Ｊａ〕×Ｊａ
を適正なファン電流値Ｊｂとし（ステップＳ１７５）、燃焼ファン制御部３５は適正なファン電流値Ｊｂで燃焼ファン１６が回転するように燃焼ファン１６を制御する（ステップＳ１７６）。そして、燃焼装置１１が運転を継続している間（ステップＳ１７７でYESの場合）は、ステップＳ１７２−Ｓ１７６を繰り返すことによって適正なファン電流値Ｊｂで燃焼ファン１６を運転する。これによって、燃焼装置１１の設置されている場所の標高によらず、燃焼装置１１を適正な空燃比で燃焼させることができる。
【０１５４】
実施形態８によれば、燃焼運転中のファン電流値Ｊａに応じた補正係数Ｋｊ（Ｊａ）を用いているので、補正係数がファン電流値によって変化する場合でも、より一層精度よくファン電流値を補正することができ、適正な空燃比で燃焼運転が行なわれるように、より高度に燃焼装置１１を制御することができる。
【０１５５】
（実施形態９）
実施形態９は、補正係数Ｋｊ´が試運転時のファン電流値Ｊｓによって変化することを考慮した、ファン電流値制御方式の燃焼装置１１である。すなわち、実施形態９は実施形態５をより高性能化したものである。実施形態９による燃焼装置１１の構造は、図６に示した実施形態１の燃焼装置１１と同じであり、コントローラ２６の構成は図１３に示した実施形態５のコントローラ２６と同じであるので、いずれも図示とその説明を省略する。
【０１５６】
実施形態９におけるファン電流値の補正方法とその原理を説明する。図３１はこの標準標高地における試運転の手順を示すフロー図である。実施形態９においては、標準標高地にて、順次ファン電流値Ｊｓを変化させながら燃焼ファン１６を運転し（ステップＳ１８１、Ｓ１８２、Ｓ１８７）、ファン回転数検知部２４とファン電流値検知部２５によってファン電流値Ｊｓの各値に対するファン回転数Ｎｓを測定しておく（ステップＳ１８３、Ｓ１８４）。そして、この測定値に基づいてファン回転数Ｎｓをファン電流値Ｊｓの関数Ｎｓ（Ｊｓ）としてメモリ３４に記憶しておく（ステップＳ１８５）。ファン電流値Ｊｓの所定の範囲で試運転が終了したら燃焼ファン１６を停止させて試運転を終了する（ステップＳ１８６、Ｓ１８７）。
【０１５７】
ついで、燃焼ファン１６を標準標高地と異なる標高の地に設置し、その設置場所で試運転を行なう。図３２はこの設置場所における試運転の手順を示すフロー図である。設置場所での試運転においては、順次ファン電流値Ｊｓを変化させながら燃焼ファン１６を運転し、燃焼ファン１６がファン電流値Ｊｓで安定したときのファン回転数Ｎｔを測定する（ステップＳ１９１−Ｓ１９３、Ｓ１９６）。そして、ファン回転数Ｎｔの測定に基づいて補正係数Ｋｊ´（Ｊｓ）を演算する（ステップＳ１９４）。この補正係数Ｋｊ´（Ｊｓ）は、
Ｋｊ´（Ｊｓ）＝√〔Ｎｓ（Ｊｓ）／Ｎｔ（Ｊｓ）〕
によって演算される。そして、ファン電流値Ｊｓの所定の範囲で試運転が終了したら、ファン電流値Ｊの関数として表わされた補正係数
Ｋｊ´（Ｊ）＝√〔Ｎｓ（Ｊ）／Ｎｔ（Ｊ）〕
をメモリ３４に記憶させ（ステップＳ１９７）、燃焼ファン１６を停止させて試運転を終了する（ステップＳ１９８）。
【０１５８】
図３３のフロー図は、上記のようにして求めた補正係数Ｋｊ´（Ｊ）を用いた燃焼装置１１の燃焼運転を表わしている。設置場所において燃焼装置１１の運転を開始したときには（ステップＳ２０１）、リモコン２８の設定温度や水の流量等に応じて制御されているガス比例弁２３の比例弁電流の値Ｉａを比例弁電流値演算部３１から読み取る（ステップＳ２０２）。ついで、ファン電流値演算部４１は、メモリ３４内の標準Ｉ−Ｊ関係を用いて比例弁電流Ｉａに対応したファン電流値Ｊａを演算し（ステップＳ２０３）、補正係数読出部３７はメモリ３４からファン電流値がＪａのときの補正係数Ｋｊ´（Ｊａ）を読み出し（ステップＳ２０４）、ファン電流値演算部４１は標準Ｉ−Ｊ関係から決めたファン電流値Ｊａに補正係数Ｋｊ´（Ｊａ）を掛けた
Ｊｂ＝Ｋｊ´（Ｊａ）×Ｊａ＝√〔Ｎｓ（Ｊａ）／Ｎｔ（Ｊａ）〕×Ｊａ
を適正なファン電流値Ｊｂとし（ステップＳ２０５）、燃焼ファン制御部３５は適正なファン電流値Ｊｂで燃焼ファン１６を制御する（ステップＳ２０６）。そして、燃焼装置１１が運転を継続している間（ステップＳ２０７でYESの場合）は、ステップＳ２０２−Ｓ２０６を繰り返すことによって適正なファン電流値Ｊｂで燃焼ファン１６を運転する。
【０１５９】
実施形態９によれば、燃焼運転中のファン電流値Ｊａに応じた補正係数Ｋｊ´（Ｊａ）を用いているので、補正係数がファン電流値によって変化する場合でも、より一層精度よくファン電流値を補正することができ、適正な空燃比で燃焼運転が行なわれるように、より高度に燃焼装置１１を制御することができる。
【０１６０】
（実施形態１０）
実施形態１０は、補正係数Ｋｎ´が試運転時のファン電流値Ｊｓによって変化することを考慮した、ファン回転数制御方式の燃焼装置１１である。すなわち、実施形態１０は、実施形態４をより高性能化したものである。実施形態１０による燃焼装置１１の構造は、図６に示した実施形態１の燃焼装置１１と同じであり、コントローラ２６の構成は図７に示した実施形態１のコントローラ２６と同じであるので、いずれも図示とその説明を省略する。
【０１６１】
つぎに、実施形態１０におけるファン回転数の補正方法とその原理を説明する。実施形態１０においては、標準標高地にて、順次ファン電流値Ｊｓを変化させながら燃焼ファン１６を運転し、ファン回転数Ｎｓの各値に対するファン電流値Ｊｓを測定しておく。図３４はこの標準標高地における試運転の手順を示すフロー図である。
【０１６２】
図３４に従って標準標高地における試運転の手順を説明する。まず、燃焼ファン１６の標準標高地での試運転を開始し、燃焼ファン１６をあるファン電流値Ｊｓで回転させ（ステップＳ２１１）、所定時間が経過して燃焼ファン１６が安定したら（ステップＳ２１２）、ファン電流値検知部２５はファン電流値Ｊｓを測定し（ステップＳ２１３）、ファン回転数検知部２４はそのときのファン回転数Ｎｓを測定する（ステップＳ２１４）。ついで、そのファン電流値Ｊｓとファン回転数Ｎｓをメモリ３４に書込んで記憶し（ステップＳ２１５）、ファン電流値Ｊｓを所定量Δ´だけ増加させる（ステップＳ２１７）。
【０１６３】
そして、所定量Δ´だけ増加させたファン電流値Ｊｓで燃焼ファン１６を回転させ、再びステップＳ２１２−Ｓ２１５を繰り返してファン電流値Ｊｓとファン回転数Ｎｓを測定し、ファン電流値Ｊｓとファン回転数Ｎｓを記憶した後、ファン電流値Ｊｓを所定量Δ´だけ増加させる。こうしてファン電流値Ｊｓを所定の範囲でΔ´ずつ変化させてステップＳ２１２−Ｓ２１７を繰り返すことにより、メモリ３４には標準標高地における試運転時のファン電流値Ｊｓ（Ｎｓ）をファン回転数Ｎｓの関数として記憶する。ついで、燃焼ファン１６の試運転が終了（ステップＳ２１６でYESの場合）であれば燃焼ファン１６を停止させ（ステップＳ２１８）、切換スイッチ２７を通常モードに戻す。
【０１６４】
ついで、燃焼ファン１６を標準標高地と異なる標高の地に設置したとき、標準標高地における試運転時のファン電流値Ｊｓと同じ範囲でファン電流値Ｊｓを変化させ、各ファン電流値Ｊｓのときのファン回転数Ｎｔを測定する。そして、標準標高地におけるファン回転数とファン電流値との関係Ｊｓ（Ｎｓ）と設置場所におけるファン回転数Ｎｔ（Ｊｓ）から補正値Ｋｎ´（Ｎｓ）を求める。図３５はこの設置場所における試運転の手順を示すフロー図である。
【０１６５】
図３５に従って設置場所における試運転の手順を説明する。燃焼装置１１の設置場所での試運転を開始し、燃焼ファン１６をあるファン電流値Ｊｓで回転させる（ステップＳ２２１）。燃焼ファン１６がファン電流値Ｊｓで安定したら（ステップＳ２２２）、ファン回転数検知部２４がファン回転数Ｎｔを測定する（ステップＳ２２３）。ついで、補正係数演算部３６は標準標高地における試運転時のファン回転数Ｎｓとファン電流値Ｊｓとの関係Ｊｓ（Ｎｓ）と、設置場所における試運転時のファン電流値Ｊｓとファン回転数Ｎｔとの関係Ｎｔ（Ｊｓ）から補正係数Ｋｎ´（Ｎｓ）を求める（ステップＳ２２４）。ついで、ファン電流値Ｊｓを所定量Δ´だけ増加させる（ステップＳ２２６）。
【０１６６】
ステップＳ２２４において補正係数Ｋｎ´（Ｎｓ）は次のようにして求められる。標準標高地における試運転時のファン回転数Ｎｓとファン電流値Ｊｓとの関係をＮｓ（Ｊｓ）とすれば、補正係数Ｋｎ´（Ｊｓ）は、
Ｋｎ´（Ｊｓ）＝√〔Ｎｔ（Ｊｓ）／Ｎｓ（Ｊｓ）〕
である。ここで、Ｎｓ（Ｊｓ）はＪｓ（Ｎｓ）の逆関数であるので、ステップＳ２２５においてメモリ３４に記憶されている関数Ｊｓ（Ｎｓ）を用いれば、この補正関数Ｋｎ´（Ｊｓ）は次のようになる。
Ｋｎ´〔Ｊｓ（Ｎｓ）〕＝√〔Ｎｔ（Ｊｓ（Ｎｓ））／Ｎｓ〕
＝√〔Ｎｔ（Ｎｓ）／Ｎｓ〕      …（数式２３）
ＮｓとＪｓは１対１に対応し、ＮｔとＪｓも１対１に対応しているので、ＮｔとＮｓもＪｓを介して１対１に対応しており、このＮｔとＮｓの関係を関数として表わしたものが上記Ｎｔ（Ｎｓ）である。上記数式２３の右辺はＮｓの関数であるから、数式２３の左辺をＫｎ´（Ｎｓ）と書けば、数式２３は、
Ｋｎ´（Ｎｓ）＝√〔Ｎｔ（Ｎｓ）／Ｎｓ〕
となる。
【０１６７】
つぎに、所定量Δ´だけ増加させたファン電流値Ｊｓで燃焼ファン１６を回転させ、再びステップＳ２２２−Ｓ２２４を繰り返してファン電流値Ｊｓのときのファン回転数Ｎｓを測定し、補正係数Ｋｎ´（Ｎｓ）を演算した後、ファン電流値Ｊｓを所定量Δ´だけ増加させる。こうしてファン電流値Ｊｓを所定の範囲で少しずつ変化させてステップＳ２２２−Ｓ２２６を繰り返すことにより、メモリ３４にはファン回転数Ｎの関数として補正係数Ｋｎ´（Ｎ）が記憶される（ステップＳ２２７）。ただし、補正係数Ｋｎ´（Ｎ）は、
Ｋｎ´（Ｎ）＝√〔Ｎｔ（Ｎ）／Ｎ〕      …（数式２４）
である。ついで、燃焼ファン１６を停止させて（ステップＳ２２８）試運転を終了し、切換スイッチ２７を通常モードに戻す。
【０１６８】
図３６のフロー図は、上記のようにして求めた補正係数Ｋｎ´（Ｎ）を用いた燃焼装置１１の燃焼運転を表わしている。設置場所において燃焼装置１１の運転を開始したときには（ステップＳ２３１）、ガス比例弁２３の比例弁電流の値Ｉａを比例弁電流値演算部３１から読み取る（ステップＳ２３２）。ついで、ファン回転数演算部３３は、メモリ３４内の標準Ｉ−Ｎ関係を用いて比例弁電流Ｉａに対応したファン回転数Ｎａを演算し（ステップＳ２３３）、補正係数読出部３７はメモリ３４からファン回転数Ｎａのときの補正係数Ｋｎ´（Ｎａ）を読み出し（ステップＳ２３４）、ファン回転数演算部３３は標準Ｉ−Ｎ関係から決めたファン回転数Ｎａに補正係数Ｋｎ´（Ｎａ）を掛けた
Ｎｂ＝Ｋｎ´（Ｎａ）×Ｎａ＝√〔Ｎｔ（Ｎａ）／Ｎａ〕×Ｎａ
を適正なファン回転数Ｎｂとし（ステップＳ２３５）、燃焼ファン制御部３５は適正なファン回転数Ｎｂで燃焼ファン１６が回転するように燃焼ファン１６を制御する（ステップＳ２３６）。そして、燃焼装置１１が運転を継続している間（ステップＳ２３７でYESの場合）は、ステップＳ２３２−Ｓ２３６を繰り返すことによって適正なファン回転数Ｎｂで燃焼ファン１６を運転する。これによって、燃焼装置１１の設置されている場所の標高によらず、燃焼装置１１を適正な空燃比で燃焼させることができる。
【０１６９】
実施形態１０によれば、燃焼運転中のファン回転数Ｎａに応じた補正係数Ｋｎ´（Ｎａ）を用いているので、補正係数がファン回転数によって変化する場合でも、より一層精度よくファン回転数を補正することができ、適正な空燃比で燃焼運転が行なわれるように、より高度に燃焼装置１１を制御することができる。
【０１７０】
なお、補正関数Ｋｎ（Ｎ）や補正関数Ｋｊ（Ｊ）、補正関数Ｋｊ´（Ｊ）、補正関数Ｋｎ´（Ｎ）を用いて実施形態３や実施形態６のように比例弁電流などを補正して燃焼ガス量を調整し、標準標高地以外の設置場所においても適正な空燃比となるようにすることもできる。
【０１７１】
（実施形態１１）
実施形態１１の燃焼装置１１は、予め各標高で補正係数を求めておいてそれをメモリ３４に記憶させるようにしたものである。図３７及び図３８は、試運転を行なう場合の手順を表わしたフロー図であり、図３９は燃焼運転を行なう場合の手順を表わしたフロー図である。なお、ここではファン電流値制御方式の燃焼装置１１を説明するが、ファン回転数制御方式の燃焼装置であっても差し支えない。
【０１７２】
まず、補正係数を求めて記憶させるための試運転を図３７、図３８に従って説明する。まず、燃焼ファン１６の標準標高地での試運転を開始し、燃焼ファン１６をあるファン回転数Ｎｓで回転させ（ステップＳ２４１）、所定時間が経過して燃焼ファン１６が安定したら（ステップＳ２４２）、ファン回転数検知部２４はファン回転数Ｎｓを測定し（ステップＳ２４３）、ファン電流値検知部２５はそのときのファン電流値Ｊｓを測定する（ステップＳ２４４）。ついで、そのファン回転数Ｎｓとファン電流値Ｊｓをメモリ３４に書込んで記憶する（ステップＳ２４５）。
【０１７３】
ついで、標準標高地よりも標高の高い場所に移動し（ステップＳ２４６）、標準標高地と同じファン回転数Ｎｓで燃焼ファン１６を回転させ（ステップＳ２４７）、ファン電流値検知部２５でファン電流値Ｊｔを測定する（ステップＳ２４８）。そして、ファン電流値がＪｔのときの補正係数Ｋｎ（Ｊｔ）を、
Ｋｎ（Ｊｔ）＝√（Ｊｔ／Ｊｓ）
として求め（ステップＳ２４９）（実施形態２参照）、求めた補正係数Ｋｎ（Ｊｔ）をメモリ３４に書き込む（ステップＳ２５０）。
【０１７４】
ついで、さらに標高の高い場所に移動し（ステップＳ２４６）、そこでのファン電流値Ｊｔを測定し、補正係数Ｋｎ（Ｊｔ）を求めてメモリ３４に記憶させる（ステップＳ２４７−Ｓ２５０）。
【０１７５】
こうしてステップＳ２４６−Ｓ２５１の工程を繰り返すことにより、各標高ｈにおける補正係数Ｋｎ（Ｊｔ）をファン電流値Ｊｔの関数としてメモリ３４に記憶する。そして、燃焼ファン１６の試運転が終了（ステップＳ２５１でYESの場合）であれば燃焼ファン１６を停止させる（ステップＳ２５２）。
【０１７６】
なお、図３７及び図３８のフロー図では、燃焼装置１１を順次標高の高い場所へ移動させながらファン電流値Ｊｔや補正係数Ｋｎ（Ｊｔ）を求めたが、これは実際に高地へ移動しながら試運転を行なって補正係数Ｋｎ（Ｊｔ）を求める必要はない。実験室において擬似的に標高の異なる環境を作り出して、各標高におけるファン電流値や補正係数を求め、そのデータを出荷する燃焼装置１１のメモリ３４内に書き込むようにすればよい。
【０１７７】
つぎに、燃焼装置１１をある標高の場所に設置した後における燃焼運転の手順を図３９のフロー図に従って説明する。設置場所において燃焼装置１１の運転を開始し（ステップＳ２６１）、所定時間経過して燃焼ファン１６の回転が安定した後（ステップＳ２６２）、ファン電流値演算部４１は、リモコン２８の設定温度や水の流量等に応じて演算されているガス比例弁２３の比例弁電流の値Ｉａを比例弁電流値演算部３１から読み取る（ステップＳ２６３）。ついで、ファン電流値演算部４１は、メモリ３４内の標準Ｉ−Ｊ関係を用いて比例弁電流Ｉａに対応したファン電流値Ｊａを決める（ステップＳ２６４）。補正係数読出部３７はファン電流値Ｊａに基づき、その場所の標高に応じた補正係数Ｋｎ（Ｊａ）をメモリ３４から読み出し（ステップＳ２６５）、ファン電流値演算部４１は標準Ｉ−Ｊ関係から決めたファン電流値Ｊａに補正係数Ｋｎ（Ｊａ）を掛けた
Ｊｂ＝Ｋｎ（Ｊａ）×Ｊａ＝√（Ｊａ／Ｊｓ）×Ｊａ
を適正なファン電流値Ｊｂとし（ステップＳ２６６）、燃焼ファン制御部３５は適正なファン電流値Ｊｂで燃焼ファン１６を駆動するようにファン電流値を制御する（ステップＳ２６７）。そして、燃焼装置１１が運転を継続している間（ステップＳ２６８でYESの場合）は、ステップＳ２６３−Ｓ２６８を繰り返すことによって適正なファン電流値Ｊｂで燃焼ファン１６を駆動する。これによって、燃焼装置１１の設置されている場所の標高によらず、燃焼装置１１を適正な空燃比で燃焼させることができ、バーナ１４のリフト現象や火移り不良などを防止することができる。
【０１７８】
なお、上記各実施形態においては、補正係数を記憶させるようにしたが、試運転時のファン電流値Ｊｓ、Ｊｔやファン回転数Ｎｓ、Ｎｔなどをメモリ（記憶手段）に記憶させるようにしてもよい。
【０１７９】
また、上記各実施形態においては、設置場所において試運転を行なって補正係数等を記憶させたが、第１回目の燃焼運転時又はその直前に補正係数等を演算してメモリ（記憶手段）に記憶させるようにしてもよい。
【図面の簡単な説明】
【０１８０】
【図１】図１は、従来のファン回転数制御方式の燃焼装置における比例弁電流Ｉと、燃焼ガス量Ｗと、ファン回転数Ｎとの関係を表わした図である。
【図２】図２は、従来のファン回転数制御方式の燃焼装置の、標高ｈが０ｍ、１０００ｍ、１５００ｍ、２０００ｍにおける大気圧Ｐ、ガス比重ｄ、燃焼ガス量Ｗ、発熱量、燃焼ファンのファン電流量Ｊ、空気量Ｂ、燃焼性を表わした図である。
【図３】図３は、従来のファン電流値制御方式の燃焼装置における比例弁電流Ｉと、ファン電流値Ｊと、ファン回転数Ｎとの関係を表わした図である。
【図４】図４は、ファン電流値Ｊを一定に保って燃焼ファンを運転した場合における、燃焼装置の設置場所の標高ｈとファン回転数Ｎとの関係を示す図である。
【図５】図５は、従来のファン電流値制御方式の燃焼装置の、標高ｈが０ｍ、１０００ｍ、１５００ｍ、２０００ｍにおける大気圧Ｐ、ガス比重ｄ、燃焼ガス量Ｗ、発熱量、燃焼ファンのファン回転数Ｎ、空気量Ｂ、燃焼性を表わした図である。
【図６】図６は、本発明の実施形態１による燃焼装置の基本的な構造を示す概略図である。
【図７】図７は、実施形態１の燃焼装置に用いられているコントローラの機能を表わした機能ブロック図である。
【図８】図８は、実施形態１の燃焼装置の、標準標高地における試運転の手順を示すフロー図である。
【図９】図９は、実施形態１の燃焼装置の、設置場所における試運転の手順を示すフロー図である。
【図１０】図１０は、実施形態１の燃焼装置の、設置場所における燃焼運転の手順を示すフロー図である。
【図１１】図１１は、実施形態１のファン回転数制御方式の燃焼装置の、標高ｈが０ｍ、１０００ｍ、１５００ｍ、２０００ｍにおける大気圧Ｐ、ガス比重ｄ、燃焼ガス量Ｗ、発熱量、補正係数Ｋｎ、燃焼ファンの補正後のファン回転数Ｎｂ、空気量Ｂ、燃焼性を表わした図である。
【図１２】図１２は、メモリに記憶している初期設定のファン回転数（Ｎａ）及び補正後のファン回転数（Ｎｂ）の標高ｈに対する変化と、各ファン回転数に対応するファン電流値の標高ｈに対する変化を表わした図である。
【図１３】図１３は、実施形態２のファン電流値制御方式の燃焼装置に用いられているコントローラの機能を表わした機能ブロック図である。
【図１４】図１４は、実施形態２の燃焼装置の、設置場所における試運転の手順を示すフロー図である。
【図１５】図１５は、実施形態２の燃焼装置の、設置場所における燃焼運転の手順を示すフロー図である。
【図１６】図１６は、実施形態２のファン回転数制御方式の燃焼装置の、標高ｈが０ｍ、１０００ｍ、１５００ｍ、２０００ｍにおける大気圧Ｐ、ガス比重ｄ、燃焼ガス量Ｗ、発熱量、補正係数Ｋｊ、燃焼ファンの補正後のファン電流値Ｊｂ、空気量Ｂ、燃焼性を表わした図である。
【図１７】図１７は、実施形態３の燃焼装置に用いられているコントローラの機能を表わした機能ブロック図である。
【図１８】図１８は、実施形態３の燃焼装置の、設置場所における燃焼運転の手順を示すフロー図である。
【図１９】図１９は、実施形態４の燃焼装置の、標準標高地における試運転の手順を示すフロー図である。
【図２０】図２０は、実施形態４の燃焼装置の、設置場所における試運転の手順を示すフロー図である。
【図２１】図２１は、実施形態４の燃焼装置の、設置場所における燃焼運転の手順を示すフロー図である。
【図２２】図２２は、実施形態５の燃焼装置の、設置場所における試運転の手順を示すフロー図である。
【図２３】図２３は、実施形態５の燃焼装置の、設置場所における燃焼運転の手順を示すフロー図である。
【図２４】図２４は、実施形態６の燃焼装置の、設置場所における燃焼運転の手順を示すフロー図である。
【図２５】図２５は、実施形態７の燃焼装置の、標準標高地における試運転の手順を示すフロー図である。
【図２６】図２６は、実施形態７の燃焼装置の、設置場所における試運転の手順を示すフロー図である。
【図２７】図２７は、実施形態７の燃焼装置の、設置場所における燃焼運転の手順を示すフロー図である。
【図２８】図２８は、実施形態８の燃焼装置の、標準標高地における試運転の手順を示すフロー図である。
【図２９】図２９は、実施形態８の燃焼装置の、設置場所における試運転の手順を示すフロー図である。
【図３０】図３０は、実施形態８の燃焼装置の、設置場所における燃焼運転の手順を示すフロー図である。
【図３１】図３１は、実施形態９の燃焼装置の、標準標高地における試運転の手順を示すフロー図である。
【図３２】図３２は、実施形態９の燃焼装置の、設置場所における試運転の手順を示すフロー図である。
【図３３】図３３は、実施形態９の燃焼装置の、設置場所における燃焼運転の手順を示すフロー図である。
【図３４】図３４は、実施形態１０の燃焼装置の、標準標高地における試運転の手順を示すフロー図である。
【図３５】図３５は、実施形態１０の燃焼装置の、設置場所における試運転の手順を示すフロー図である。
【図３６】図３６は、実施形態１０の燃焼装置の、設置場所における燃焼運転の手順を示すフロー図である。
【図３７】図３７は、実施形態１１の燃焼装置の試運転の手順を示すフロー図である。
【図３８】図３８は、図３７の続図である。
【図３９】図３９は、実施形態１１の燃焼装置の、設置場所における燃焼運転の手順を示すフロー図である。
【符号の説明】
【０１８１】
１１      燃焼装置
１３      熱交換器
１４      バーナ
１６      燃焼ファン
２２      ガス供給管
２３      ガス比例弁
２４      ファン回転数検知部
２５      ファン電流値検知部
２６      コントローラ
３１      比例弁電流値演算部
３２      ガス比例弁制御部
３３      ファン回転数演算部
３４      メモリ
３５      燃焼ファン制御部
３６      補正係数演算部
３７      補正係数読出部
４１      ファン電流値演算部
Ｎｓ      標準標高地における試運転時のファン回転数
Ｊｓ      標準標高地における試運転時のファン電流値
Ｎｔ      設置場所における試運転時のファン回転数
Ｊｔ      設置場所における試運転時のファン電流値
Ｉａ      燃焼運転時の比例弁電流
Ｎａ      燃焼運転時のファン回転数
Ｊａ      燃焼運転時のファン電流値
Ｉａ      燃焼運転時の補正された比例弁電流
Ｎｂ      燃焼運転時の補正されたファン回転数
Ｊｂ      燃焼運転時の補正されたファン電流値
Ｋｎ、Ｋｊ、Ｋｎ´、Ｋｊ´      補正係数
Ｋｎ（Ｎ）、Ｋｊ（Ｊ）、Ｋｎ´（Ｎ）、Ｋｊ´（Ｊ）      補正係数
【図１】
2008051428.tif 000007
【図２】
2008051428.tif 000008
【図３】
2008051428.tif 000009
【図４】
2008051428.tif 000010
【図５】
2008051428.tif 000011
【図６】
2008051428.tif 000012
【図７】
2008051428.tif 000013
【図８】
2008051428.tif 000014
【図９】
2008051428.tif 000015
【図１０】
2008051428.tif 000016
【図１１】
2008051428.tif 000017
【図１２】
2008051428.tif 000018
【図１３】
2008051428.tif 000019
【図１４】
2008051428.tif 000020
【図１５】
2008051428.tif 000021
【図１６】
2008051428.tif 000022
【図１７】
2008051428.tif 000023
【図１８】
2008051428.tif 000024
【図１９】
2008051428.tif 000025
【図２０】
2008051428.tif 000026
【図２１】
2008051428.tif 000027
【図２２】
2008051428.tif 000028
【図２３】
2008051428.tif 000029
【図２４】
2008051428.tif 000030
【図２５】
2008051428.tif 000031
【図２６】
2008051428.tif 000032
【図２７】
2008051428.tif 000033
【図２８】
2008051428.tif 000034
【図２９】
2008051428.tif 000035
【図３０】
2008051428.tif 000036
【図３１】
2008051428.tif 000037
【図３２】
2008051428.tif 000038
【図３３】
2008051428.tif 000039
【図３４】
2008051428.tif 000040
【図３５】
2008051428.tif 000041
【図３６】
2008051428.tif 000042
【図３７】
2008051428.tif 000043
【図３８】
2008051428.tif 000044
【図３９】
2008051428.tif 000045